(57)【要約】  バックプレートと、弾力性クランプと、フロントカバーと、殺菌剤ディスペンサとを含む歯ブラシホルダ筐体が提供される。バックプレートとフロントカバーとは、ハウジングを形成する。クランプはクランプにばね特性を与える弾力性材料からなり、クランプが歯ブラシを把持するために、２つのクランプアームを互いの方向に向かわせるような形状とされている。クランプが締め付け位置から偏位状態へと離れて広がると、クランプアームの先端にある２つのローラが、クランプに挿入された歯ブラシヘッドを係合する。歯ブラシが挿入された状態で、ローラは歯ブラシのネックに圧力を加えて、歯ブラシを、ディスペンサの貯蔵器から殺菌剤を供給される供給口に概ね向かい、供給口と概ね位置合わせされたブリッスルで、迅速に所定の位置に保持する。作動装置が殺菌剤を供給口から出させる。【選択図】図１６
2018516607.tif 000002
【特許請求の範囲】
【請求項１】
ブリッスル（１４）付きのヘッド（１２）とハンドル（１６）とを有する個別の歯ブラシ（１０）を保持するための歯ブラシホルダ（１００）であって、
異物との接触から前記ブリッスル（１４）を保護するための歯ブラシヘッド筐体（１１０）であって、前記歯ブラシ（１０）の前記ハンドル（１６）の一部を露出させた状態で前記歯ブラシ（１０）の前記ヘッド（１２）を受け入れる寸法とされた歯ブラシヘッド筐体（１１０）と、
前記ヘッド（１２）を確実に受け入れるとともに、前記ヘッド（１２）の解放を可能にするために前記筐体内に収容される保持機構（２００）と、
前記ヘッド（１２）の前記ブリッスル（１４）に殺菌剤を供給するために前記ホルダに接続されたディスペンサ（３００）とを含む、ホルダ（１００）。
【請求項２】
前記ディスペンサ（３００）は、前記筐体（１１０）内部で前記ブリッスル（１４）に前記殺菌剤を供給するように構成された、請求項１に記載のホルダ。
【請求項３】
前記ディスペンサ（３００）は、前記筐体（１１０）の外部で前記ブリッスル（１４）に前記殺菌剤を供給するように構成された、請求項１に記載のホルダ。
【請求項４】
前記ディスペンサ（３００）は、前記ホルダ（１００）の側面の取り付け台（４００）に取り外し可能に取り付けられる、請求項３に記載のホルダ。
【請求項５】
前記ディスペンサ（３００）は、前記ホルダ（１００）の側面上に一体化された、請求項３に記載のホルダ。
【請求項６】
ブリッスル（１４）付きのヘッド（１２）とハンドル（１６）とを有する個別の歯ブラシ（１０）を保持するための歯ブラシホルダ（１００）であって、
異物との接触から前記ブリッスル（１４）を保護するための歯ブラシヘッド筐体（１１０）であって、前記歯ブラシ（１０）の前記ハンドル（１６）の一部を露出させた状態で前記歯ブラシ（１０）の前記ヘッド（１２）を受け入れる寸法とされた歯ブラシヘッド筐体（１１０）と、
前記ヘッド（１２）を確実に受け入れるとともに、前記ヘッド（１２）の解放を可能にするために前記筐体内に収容される保持機構（２００）と、
前記筐体（１１０）の内部で前記ヘッド（１２）の前記ブリッスル（１４）に殺菌剤を供給するために、前記ホルダ（１００）内部に接続されるように構成されたディスペンサと（３００）を含む、ホルダ（１００）。
【請求項７】
前記保持機構（２００）は、前記筐体（１１０）と前記筐体（１１０）内部の前記ブリッスル（１４）との接触につながる恐れのある前記歯ブラシヘッド（１２）のねじりを防ぐように構成された、請求項１から６のいずれか一項に記載のホルダ。
【請求項８】
前記ディスペンサ（３００）は、ポンプ（３１２）を含む、請求項１から７のいずれか一項に記載のホルダ。
【請求項９】
前記ディスペンサ（３００）は、前記ポンプ（３１２）を作動させるための、前記筐体（１１０）上の押しボタン（３４２）を含む、請求項８に記載のホルダ。
【請求項１０】
前記ディスペンサ（３００）は、前記歯ブラシ（１０）の前記ブリッスル（１４）を消毒するために少なくとも約６２回分の塗布に十分な量の前記殺菌剤を保持する貯蔵器（３１０）を含む、請求項１から９のいずれか一項に記載のホルダ。
【請求項１１】
前記貯蔵器（３１０）は少なくとも１００回分の塗布に十分である、請求項１０に記載のホルダ。
【請求項１２】
異物との接触からブリッスルを保護するための歯ブラシヘッド筐体（１１０）を含む歯ブラシヘッドホルダ（１００）であって、前記筐体（１１０）が歯ブラシ（１０）のハンドル（１６）を露出させた状態で前記歯ブラシ（１０）のヘッド（１２）を受け入れる寸法とされた、ホルダ（１００）と、
前記ヘッド（１２）を確実に受け入れるとともに、前記ヘッド（１２）の解放を可能にするために、前記筐体内に収容されるように構成された保持機構（２００）と、
前記ヘッド（１２）のブリッスル（１４）に殺菌剤を供給するためのディスペンサ（３００）とを含む、キット。
【請求項１３】
前記保持機構（２００）は、前記筐体（１１０）と前記筐体（１１０）内部の前記ブリッスル（１４）との接触につながる恐れのある前記歯ブラシヘッド（１２）のねじりを防ぐように構成された、請求項１２に記載のキット。
【請求項１４】
前記ディスペンサ（３００）はポンプ（３１２）を含む、請求項１２または１３に記載のキット。
【請求項１５】
前記ディスペンサ（３００）は、前記歯ブラシ（１０）の前記ブリッスル（１４）を消毒するために少なくとも約６２回分の塗布に十分な量の前記殺菌剤を保持する貯蔵器（３１０）を含む、請求項１２から１４のいずれか一項に記載のキット。
【請求項１６】
前記貯蔵器（３１０）は、少なくとも約１００回分の塗布に十分である、請求項１５に記載のキット。
【請求項１７】
ブリッスル（１４）付きのヘッド（１２）とハンドル（１６）とを有する個別の歯ブラシ（１０）を保持するための歯ブラシホルダ（１００）であって、
異物との接触から前記ブリッスル（１４）を保護するための歯ブラシヘッド筐体（１１０）であって、前記歯ブラシ（１０）の前記ハンドル（１６）の一部を露出させた状態で前記歯ブラシ（１０）の前記ヘッド（１２）を受け入れる寸法とされた歯ブラシヘッド筐体（１１０）と、
前記ヘッド（１２）を確実に受け入れるとともに、前記ヘッド（１２）の解放を可能にするために前記筐体内に収容される保持機構（２００）と、
前記筐体（１１０）の内部で前記ヘッド（１２）の前記ブリッスル（１４）に殺菌剤を供給するために前記ホルダに接続されるように構成され、ポンプ（３１２）と前記ポンプ（３１２）を作動させるための前記筐体（１１０）上の押しボタン（３４２）とを含むディスペンサ（３００）とを含む、ホルダ（１００）。
【請求項１８】
前記押しボタン（３４２）は、前記押しボタン（３４２）の不測の作動を防止するために前記筐体のくぼみ（３４０）内に含まれる、請求項１７に記載のホルダ。
【請求項１９】
前記押しボタン（３４２）の下側が、前記ポンプ（３１２）のトリガボタン（３２０）を押すように構成された作動フィンガ（３４４）を有する、請求項１８に記載のホルダ。
【請求項２０】
前記ディスペンサ（３００）は前記殺菌剤を前記ブリッスル（１４）に噴霧するためのノズルとして構成された供給口（３２２）を含む、請求項１９に記載のホルダ。
【請求項２１】
前記ディスペンサ（３００）は、前記筐体（１００）内に取り外し可能に取り付けられる、請求項１７から２０のいずれか一項に記載のホルダ。
【請求項２２】
前記ディスペンサ（３００）は、前記筐体（１１０）のバックカバー（１１４）の内側部分へのスナップ式係合により、取り外し可能に取り付けられる、請求項２１に記載のホルダ。
【請求項２３】
前記ディスペンサ（３００）は、前記ブリッスル（１４）を消毒するために少なくとも約６２回分の塗布に十分な量の前記殺菌剤を保持する貯蔵器（３１０）を含む、請求項１７から２２のいずれか一項に記載のホルダ。
【発明の詳細な説明】
【技術分野】
【０００１】
本発明は、歯ブラシの保管および衛生に関し、具体的には、歯ブラシの保管および衛生のための清潔な歯ブラシホルダ装置に関する。
【背景技術】
【０００２】
保管歯ブラシについて衛生的にする必要がある。
【０００３】
当技術分野では、歯ブラシに滅菌液を塗布することが知られている。場合によっては、歯ブラシは滅菌溶液槽に上下逆さまに保管されていた。また他の場合には、歯ブラシは、溶液を歯ブラシのヘッドに噴霧することができる設置器具に設置可能であった。
【０００４】
歯ブラシ筐体の一タイプは、歯ブラシ筐体を壁に取り付けることによって整頓するようなっていた。国際公開特許出願ＷＯ１９９８／０３５，５８５号公報（プールネン）には、ラックを壁に取り付けるためのバックプレートと、歯ブラシヘッドを両側部から係合するためのホルダと、筐体を与えるための外郭との、おおまかに３つの部分を有する歯ブラシラックが記載されている。歯ブラシは、ホルダのフィンガの間で３点保持によってラック内に固定され、バックプレート上に載せることによって回転が防止される。残念ながら、歯ブラシに接触するバックプレートを洗浄のために容易に取り外すことができないため、このようなラックは望ましいほど衛生的ではない。また、軟質材料を内蔵するより新型の歯ブラシ設計は引っかかりやすく、歯ブラシを取り外すためにラックを分解する必要がある。
【０００５】
従来の歯ブラシを消毒溶液に保管するための多くの試みが提案されてきたが、それらは煩わしく、旅行に適さない。歯ブラシに殺菌剤を噴霧するいくつかの試みが提案されている。
【０００６】
米国公開特許出願第２００２／００３１４６１公報（ニップ）は、数本の歯ブラシを、抗菌歯ブラシ噴霧が供給される共通のチャンバ内に保持するための容器を開示している。蓋を押し下げることによってポンプ機構を作動させる。容器の中央支柱内に配置された内部貯蔵器から抗菌／抗ウィルス殺菌液を引き出すためと、歯ブラシのブラシ端部と位置合わせされた小径開口部から殺菌液を噴霧するための、実施可能な開示はなされていない。残念ながら、複数の歯ブラシの共用保管は、歯ブラシ間の二次汚染の機会を増やし、残存感染体の再移入につながる。
【０００７】
米国特許第６，２５３，７７３号（インゲマン）は、処理空間と、処理空間に処理媒体を噴霧する噴霧装置とを備えた携帯型歯科衛生キットを開示している。噴霧装置と処理媒体が噴霧される部分とは互いに分離されているが、噴霧装置とそれらの部分とを囲むホルダ上では互いに噴霧位置関係に配置される。噴霧装置の噴霧ヘッドは、側方ノズルを有する。噴霧を放出するためのトリガ要素としてキャップが設けられる。その取り外し可能キャップが保持装置上の可能な配置位置の１つに置かれると、キャップは噴霧装置が噴霧流を放出する恐れがないようになされ、他の可能な配置位置では、キャプは噴霧流を放出させるようにすることができる。残念ながら、設計通りに取り外すとキャップは容易に落下し、汚染される可能性がある。キャップを紛失すると、このキットは消毒の効果がなくなる。
【０００８】
国際公開特許出願ＷＯ１９９６／０１６，７５０号公報（ヘッカー等）は、歯ブラシの頭部と噴霧缶の頭部とが互いに噴霧位置関係にあるデンタルケアステーションを開示している。２部分からなるケース状の保持装置が設けられる。噴霧缶は、保持装置の一方の部分の受け口内に収まることができ、歯ブラシは保持装置の他方の部分内にある。装置が閉じられると、ガイドレールが歯ブラシを位置決めする。噴霧缶のバルブの噴霧ヘッドは、側方バルブとして設計され、ブラシチャンバ内に収まる。ハウジングの頭部に設けられ、噴霧缶の底部に作用し得る放出ボタンを使用することによって噴霧が放出される。放出ボタンを押すことにより、噴霧を制御された方式でブラシチャンバ内の歯ブラシのブリッスルに向けることができる。残念ながら、不注意で放出ボタンを押すことにより、噴霧流が意図せずに放出される可能性がある。このような危険は、とりわけ手荷物において著しく重要視される。
【０００９】
米国特許第６，０９９，８１３号（ギプソン）は、流体シールによって分離されたブリッスルチャンバとハンドルチャンバとを有する一体型歯ブラシケース受けを開示している。ケースは、エアロゾル噴霧または流体の形態の殺菌剤をブラシ区画またはハンドル区画内に選択的に入れることができる、一方向流動バルブを備えた開口を有する。別個のエアロゾルキャニスタを携帯するのが厄介であると思われるため、この歯ブラシケースは、旅行には適さない。
【発明の概要】
【発明が解決しようとする課題】
【００１０】
出願人は、個別の歯ブラシヘッド筐体を設けることによる歯ブラシの保管が、共用の歯ブラシ筐体よりも好ましいことと、殺菌剤を伴わない歯ブラシの保管は殺菌剤の使用よりも衛生的でないと受け取られることとを見いだした。出願人は、本明細書において、歯ブラシヘッド筐体を使用する個別歯ブラシ保管と、歯ブラシのブリッスルに液体殺菌剤を塗布する塗布装置との組合せを提案する。このようにして、液体殺菌剤塗布が個別保管筐体と連係され、それによって歯ブラシヘッド筐体の必要性と殺菌の必要性とが満たされる。このような連係は、歯ブラシが筐体内に固定された状態で殺菌剤を歯ブラシヘッドのブリッスルに塗布するように塗布装置を構成することによって行うことができる。このような連係は、歯ブラシが筐体から取り外された状態で殺菌剤を歯ブラシヘッドのブリッスルに塗布するように塗布装置を構成することによっても行うことができる。
【００１１】
適合しない従来技術の装置は一般に、歯ブラシを溶液（洗口液、消毒液など）に浸けるための槽を設けることに限定された歯ブラシ保管筐体に関する。これらの装置は、大型であるため使いにくく、運搬中に槽内の溶液がこぼれる恐れがあるために旅行に適さない。いくつかの従来技術の装置は、歯ブラシに殺菌剤を噴霧することに関しているが、殺菌剤を誤って吐出させないようにする保護がないので不都合である。これらの従来技術の装置のほとんどは、処理時に複数の歯ブラシを典型的には固定せずに保持するための比較的大型の共用／家族用の設置具を設け、旅行用の個別ブラシ筐体としては適さない。個別の歯ブラシ用のその他の従来技術の筐体は、コンパクトさがなく、必要な旅行荷物を望ましくないほど増やす様々なキットおよびケースとより多く関係しており、不適当である。
【課題を解決するための手段】
【００１２】
上記の問題のうちの少なくともいくつかの問題に対処するために、提案の歯ブラシ保持方法は、例えば歯ブラシヘッドをヘッドの両側部で把持することによって、歯ブラシヘッドをホルダ筐体に受け入れることを含む。筐体は、殺菌剤（液、ゲル、ペーストなど）の貯蔵器を含む。筐体は、歯ブラシヘッドを保護する一方、少量の殺菌剤をブリッスルに供給することを可能にするように構成される。
【００１３】
従来技術の歯ブラシホルダの欠点のいくつかは、参照により本明細書に組み込まれる国際公開特許出願ＷＯ２０１４／０７８９５３広報（モーフェット等）に記載されている歯ブラシホルダ装置を使用することによって対処される。この歯ブラシホルダ装置は、機能部品として、弾力性クランプを収容する筐体を含む。ハウジングは、歯ブラシ筐体を提供するバックプレートとフロントカバーとを含む。クランプ部は、概ね逆「Ｕ」字型であり、好ましくは、クランプ部にばね特性を与える弾力性材料で作られる。クランプは、クランプ全体が保持器の役割を果たすように、２つのグリッピングアームを互いの方向に向かわせるような形状とされる。好ましくは、クランプが締め付け位置から偏位状態へと広がると、グリッピングアームの先端にある２つのローラが、クランプに挿入された歯ブラシヘッドを係合する。歯ブラシが挿入された状態で、歯ブラシを所定の位置に迅速に保持するように、ローラは歯ブラシのネックに力を加える。このローラの回転係合動作は、ゴム製の側部を備えるヘッドを有する歯ブラシを歯ブラシ筐体内に保持する保持力を与え、歯ブラシホルダを基準にした歯ブラシの一層滑らかな動きを可能にする。クランプには小さいタブを組み込むことができ、これらのタブはバックプレートとともに、歯ブラシが筐体内に挿入されるときに歯ブラシを単一の向きに制限する。
【００１４】
本提案の解決策によると、機能部品として、弾力性クランプと殺菌剤の貯蔵器とを収容する筐体を含む衛生的な携帯型歯ブラシホルダ装置が提供される。歯ブラシホルダは、殺菌剤が歯ブラシヘッドに向かって制御可能に供給される供給口に対向する位置関係に歯ブラシヘッドを保持するように構成される。一部の実施形態では、装置は、噴霧動作により殺菌剤を供給するように構成され、その場合、供給口はノズルを含み得る。好ましくは、殺菌剤は歯ブラシのブリッスルに噴霧することができる。他の実施形態では、殺菌剤は供給口からメニスカスを形成するゲルまたはペーストの小球として供給される。歯ブラシのブリッスルは、歯ブラシがクランプ内に保持されると、例えばブリッスル管作用により殺菌剤を引き上げる位置に配置される。
【００１５】
提案の解決策によると、歯ブラシホルダは、殺菌剤の制御された供給を行わせる放出手段を含む。一部の実施形態では、放出手段は、例えば、貯蔵器が一定量の殺菌剤を供給するようにするボタンを含む、放出トリガを含む。他の実施形態では、放出手段は、貯蔵器が一定量の殺菌剤を供給するように筐体を変形させることを含む。さらに他の実装形態では、放出手段は、一定量の殺菌剤を供給するように貯蔵器を変形することを含む。さらに他の実装形態では、放出手段は貯蔵器が一定量の殺菌剤を供給するようにクランプを変形させることを含む。さらに他の実装形態では、放出手段は、一定量の殺菌剤を供給するように貯蔵器を変形させるように構成されたラチェット手段を含む。一部の実装形態では、ラチェット手段は、歯ブラシヘッドを歯ブラシホルダに挿入することによって作動するラチェットを含む。他の実装形態では、ラチェット手段は、歯ブラシヘッドを歯ブラシホルダに挿入することによって作動するラチェット歯車を有するローラを少なくとも含む。
【００１６】
本提案の解決策の一部の実施形態によると、個別の歯ブラシを保持するための歯ブラシホルダであって、ブリッスルが異物に接触しないように保護するための歯ブラシヘッド筐体であって歯ブラシのハンドルを露出させた状態で歯ブラシのヘッドを受け入れるような寸法とされた筐体と、ヘッドを固定して受け入れるとともに、ヘッドの解放を可能にするために筐体内に収容されたクリップ機構と、殺菌剤をヘッドのブリッスルに供給するために筐体に接続されたディスペンサとを含む、歯ブラシホルダが提供される。
【００１７】
本提案の解決策の一部の実施形態によると、ブリッスルが異物に接触しないように保護するための歯ブラシヘッド筐体であって歯ブラシのハンドルを露出させた状態で歯ブラシのヘッドを受け入れるような寸法とされた筐体と、歯ブラシヘッドのブリッスルに殺菌剤を供給するためのディスペンサとを含む、歯ブラシヘッドホルダを含むキットが提供される。したがって、ディスペンサは、筐体とは別個の構成要素であるかまたは一体となっており、ブリッスルに適切な薬剤を供給することと、ホルダを使用して歯ブラシヘッドを保護することの二重の機能を提供することが企図される。
【００１８】
本発明を限定することなく、本提案の解決策の一部の実施形態による歯ブラシを歯ブラシホルダ装置内に保持するための上記の係合機構は、例えば、ローラを有する歯ブラシホルダクリップとゴム引き歯ブラシヘッド側部を有する歯ブラシとの間の改良された保持力と、衛生とに由来する相乗的利点を提供する。
【００１９】
本提案の解決策は、添付図面を参照しながら本発明の以下の詳細な説明を読めば、よりよく理解することができる。
【図面の簡単な説明】
【００２０】
【図１Ａ】本提案の解決策の第１の実施形態による、歯ブラシホルダ筐体の上面図を示す概略図である。
【図１Ｂ】本提案の解決策の第１の実施形態による、歯ブラシホルダ筐体の前面図を示す概略図である。
【図１Ｃ】本提案の解決策の第１の実施形態による歯ブラシホルダ筐体の右側面図を示す概略図である。
【図１Ｄ】本提案の解決策の第１の実施形態による歯ブラシホルダ筐体の斜視図を示す概略図である。
【図２Ａ】本提案の解決策の歯ブラシホルダ筐体の第１の実施形態の第１の実装形態によるバックプレートの上面図を示す概略図である。
【図２Ｂ】本提案の解決策の歯ブラシホルダ筐体の第１の実施形態の第１の実装形態によるバックプレートの前面図を示す概略図である。
【図２Ｃ】本提案の解決策の歯ブラシホルダ筐体の第１の実施形態の第１の実装形態によるバックプレートの右側面図を示す概略図である。
【図２Ｄ】本提案の解決策の歯ブラシ１５ホルダ筐体の第１の実施形態の第１の実装形態によるバックプレートの背面図を示す概略図である。
【図２Ｅ】本提案の解決策の歯ブラシホルダ筐体の第１の実施形態の第１の実装形態によるバックプレートの斜視図を示す概略図である。
【図３Ａ】本提案の解決策の歯ブラシホルダ筐体の第１の実施形態の第２の実装形態による別のバックプレートの前面図を示す概略図である。
【図３Ｂ】本提案の解決策の歯ブラシホルダ筐体の第１の実施形態の第２の実装形態によるバックプレートの底面図を示す概略図である。
【図３Ｃ】本提案の解決策の歯ブラシホルダ筐体の第１の実施形態の第２の実装形態によるバックプレートの底面斜視図を示す概略図である。
【図３Ｄ】本提案の解決策の歯ブラシホルダ筐体の第１の実施形態の第２の実装形態によるバックプレートの上面斜視図を示す概略図である。
【図４Ａ】本提案の解決策の歯ブラシホルダの第１の実施形態の第２の実装形態による、バックプレートと歯ブラシグリップ要素との組合せの前面図を示す概略図である。
【図４Ｂ】本提案の解決策の歯ブラシホルダの第１の実施形態の第２の実装形態による、バックプレートと歯ブラシグリップ要素との組合せの底面図を示す概略図である。
【図４Ｃ】本提案の解決策の歯ブラシホルダの第１の実施形態の第２の実装形態による、バックプレートと歯ブラシグリップ要素との組合せの右側面図を示す概略図である。
【図４Ｄ】本提案の解決策の歯ブラシホルダの第１の実施形態の第２の実装形態による、バックプレートと歯ブラシグリップ要素との組合せの底面斜視図を示す概略図である。
【図４Ｅ】本提案の解決策の歯ブラシホルダの第１の実施形態の第２の実装形態による、バックプレートと歯ブラシグリップ要素との組合せの上面斜視図を示す概略図である。
【図５Ａ】本提案の解決策の第１の実装形態による、歯ブラシグリップ要素の上面図を示す概略図である。
【図５Ｂ】本提案の解決策の第１の実装形態による、歯ブラシグリップ要素の前面図を示す概略図である。
【図５Ｃ】本提案の解決策の第１の実装形態による、歯ブラシグリップ要素の底面図を示す概略図である。
【図５Ｄ】本提案の解決策の第１の実装形態による、歯ブラシグリップ要素の右側面図を示す概略図である。
【図５Ｅ】本提案の解決策の第１の実装形態による、歯ブラシグリップ要素の背面図を示す概略図である。
【図５Ｆ】本提案の解決策の第１の実装形態による、歯ブラシグリップ要素の底面斜視図を示す概略図である。
【図５Ｇ】本提案の解決策の第１の実装形態による、クリップ歯ブラシグリップ要素の上面斜視図を示す概略図である。
【図６Ａ】本提案の解決策の第２の実装形態による、歯ブラシグリップ要素の上面図を示す概略図である。
【図６Ｂ】本提案の解決策の第２の実装形態による、歯ブラシグリップ要素の前面図を示す概略図である。
【図６Ｃ】本提案の解決策の第２の実装形態による、歯ブラシグリップ要素の底面図を示す概略図である。
【図６Ｄ】本提案の解決策の第２の実装形態による、歯ブラシグリップ要素の右側面図を示す概略図である。
【図６Ｅ】本提案の解決策の第２の実装形態による、歯ブラシグリップ要素の上面斜視図を示す概略図である。
【図６Ｆ】本提案の解決策の第２の実装形態による、歯ブラシグリップ要素の底面斜視図を示す概略図である。
【図６Ｇ】本提案の解決策の第２の実装形態による、歯ブラシグリップ要素の別の底面斜視図を示す概略図である。
【図７Ａ】本提案の解決策の一実装形態による、殺菌歯ブラシホルダの斜視透視図を示す概略図である。
【図７Ｂ】本提案の解決策の一実施形態による、殺菌歯ブラシホルダの斜視分解図を示す概略図である。
【図７Ｃ】本提案の解決策の別の実装形態による、殺菌剤ディスペンサカートリッジを装填するために開いた殺菌歯ブラシホルダの斜視図を示す概略図である。
【図７Ｄ】図７Ｃに示す本提案の解決策の実装形態による、殺菌剤ディスペンサカートリッジを有する殺菌歯ブラシホルダの分解図を（歯ブラシとの関連で）示す概略図である。
【図７Ｅ】図７Ｃに示す本提案の解決策の実装形態による、フロントカバーなしの殺菌歯ブラシホルダの斜視図を示す概略図である。
【図７Ｆ】図７Ｃ、図７Ｄおよび図７Ｅに示す本提案の解決策の実装形態による、フロントカバーなしの殺菌歯ブラシホルダの上面図および右側面図をそれぞれ示す概略図である。
【図７Ｇ】図７Ｃ、図７Ｄおよび図７Ｅに示す本提案の解決策の実装形態による、フロントカバーなしの殺菌歯ブラシホルダの上面図および右側面図をそれぞれ示す概略図である。
【図７Ｈ】図７Ｃ、図７Ｄ、図７Ｅ、図７Ｆおよび図７Ｇに示す本提案の解決策の実装形態による、組み立て済み殺菌歯ブラシホルダの上面図を示す概略図である。
【図７Ｉ】図７Ｃ、図７Ｄ、図７Ｅ、図７Ｆ、図７Ｇおよび図７Ｈに示す本提案の解決策の実装形態による、図７Ｉにおける通常位置と図７Ｊにおける作動位置との間の動作状態の殺菌歯ブラシホルダの右側面図を示す概略図である。
【図７Ｊ】図７Ｃ、図７Ｄ、図７Ｅ、図７Ｆ、図７Ｇおよび図７Ｈに示す本提案の解決策の実装形態による、図７Ｉにおける通常位置と図７Ｊにおける作動位置との間の動作状態の殺菌歯ブラシホルダの右側面図を示す概略図である。
【図８Ａ】本提案の解決策の歯ブラシホルダ筐体の第１の実施形態による、フロントカバーの上面図を示す概略図である。
【図８Ｂ】本提案の解決策の歯ブラシホルダ筐体の第１の実施形態による、フロントカバーの前面図を示す概略図である。
【図８Ｃ】本提案の解決策の歯ブラシホルダ筐体の第１の実施形態による、フロントカバーの右側面図を示す概略図である。
【図８Ｄ】本提案の解決策の歯ブラシホルダ筐体の第１の実施形態による、フロントカバーの背面図を示す概略図である。
【図９Ａ】本提案の解決策の歯ブラシホルダ筐体の第１の実施形態による、フロントカバー窓の上面図を示す概略図である。
【図９Ｂ】本提案の解決策の歯ブラシホルダ筐体の第１の実施形態による、フロントカバー窓の前面図を示す概略図である。
【図９Ｃ】本提案の解決策の歯ブラシホルダ筐体の第１の実施形態による、フロントカバー窓の左側面図を示す概略図である。
【図９Ｄ】本提案の解決策の歯ブラシホルダ筐体の第１の実施形態による、フロントカバー窓の背面図を示す概略図である。
【図９Ｅ】本提案の解決策の歯ブラシホルダ筐体の第１の実施形態による、フロントカバー窓の斜視図を示す概略図である。
【図１０Ａ】本提案の解決策の歯ブラシホルダ筐体の第１の実施形態の第４の実装形態による、別のバックプレートの前面図を示す概略図である。
【図１０Ｂ】本提案の解決策の歯ブラシホルダ筐体の第１の実施形態の第４の実装形態による、バックプレートの背面図を示す概略図である。
【図１０Ｃ】本提案の解決策の歯ブラシホルダ筐体の第１の実施形態の第４の実装形態による、バックプレートの上面図を示す概略図である。
【図１０Ｄ】本提案の解決策の歯ブラシホルダ筐体の第１の実施形態の第４の実装形態による、バックプレートの底面図を示す概略図である。
【図１０Ｅ】本提案の解決策の歯ブラシホルダ筐体の第１の実施形態の第４の実装形態による、バックプレートの右側面図を示す概略図である。
【図１０Ｆ】本提案の解決策の歯ブラシホルダ筐体の第１の実施形態の第４の実装形態による、バックプレートの斜視図を示す概略図である。
【図１０Ｇ】本提案の解決策の歯ブラシホルダ筐体の第１の実施形態の第４の実装形態による、バックプレートの底面斜視図を示す概略図である。
【図１１Ａ】本提案の解決策の第１の実施形態の第４の実装形態による、歯ブラシグリップ要素の前面図を示す概略図である。
【図１１Ｂ】本提案の解決策の第１の実施形態の第４の実装形態による、歯ブラシグリップ要素の背面図を示す概略図である。
【図１１Ｃ】本提案の解決策の第１の実施形態の第４の実装形態による、歯ブラシグリップ要素の上面図を示す概略図である。
【図１１Ｄ】本提案の解決策の第１の実施形態の第４の実装形態による、歯ブラシグリップ要素の底面図を示す概略図である。
【図１１Ｅ】本提案の解決策の第１の実施形態の第４の実装形態による、歯ブラシグリップ要素の右側面図を示す概略図である。
【図１１Ｆ】本提案の解決策の第１の実施形態の第４の実装形態による、歯ブラシグリップ要素の底面斜視図を示す概略図である。
【図１１Ｇ】本提案の解決策の第１の実施形態の第４の実装形態による、クリップ歯ブラシグリップ要素の上面斜視図を示す概略図である。
【図１２Ａ】本提案の解決策の歯ブラシホルダの第１の実施形態の第４の実装形態による、バックプレートと歯ブラシグリップ要素との組合せの前面図を示す概略図である。
【図１２Ｂ】本提案の解決策の歯ブラシホルダの第１の実施形態の第４の実装形態による、バックプレートと歯ブラシグリップ要素との組合せの底面図を示す概略図である。
【図１２Ｃ】本提案の解決策の歯ブラシホルダの第１の実施形態の第４の実装形態による、バックプレートと歯ブラシグリップ要素との組合せの右側面図を示す概略図である。
【図１２Ｄ】本提案の解決策の歯ブラシホルダの第１の実施形態の第４の実装形態による、バックプレートと歯ブラシグリップ要素との組合せの上面斜視図を示す概略図である。
【図１２Ｅ】本提案の解決策の歯ブラシホルダの第１の実施形態の第４の実装形態による、バックプレートと歯ブラシグリップ要素との組合せの底面斜視図を示す概略図である。
【図１３Ａ】本提案の解決策の歯ブラシホルダ筐体の第１の実施形態の第４の実装形態による、フロントカバーの前面図を示す概略図である。
【図１３Ｂ】本提案の解決策の歯ブラシホルダ筐体の第１の実施形態の第４の実装形態による、フロントカバーの背面図を示す概略図である。
【図１３Ｃ】本提案の解決策の歯ブラシホルダ筐体の第１の実施形態の第４の実装形態による、フロントカバーの上面図を示す概略図である。
【図１３Ｄ】本提案の解決策の歯ブラシホルダ筐体の第１の実施形態の第４の実装形態による、フロントカバーの右側面図を示す概略図である。
【図１３Ｅ】本提案の解決策の歯ブラシホルダ筐体の第１の実施形態の第４の実装形態による、フロントカバーの底面斜視図を示す概略図である。
【図１３Ｆ】本提案の解決策の歯ブラシホルダ筐体の第１の実施形態の第４の実装形態による、フロントカバーの上面斜視図を示す概略図である。
【図１４Ａ】本提案の解決策の歯ブラシホルダ筐体の第１の実施形態の第４の実装形態による、フロントカバー窓の前面図を示す概略図である。
【図１４Ｂ】本提案の解決策の歯ブラシホルダ筐体の第１の実施形態の第４の実装形態による、フロントカバー窓の背面図を示す概略図である。
【図１４Ｃ】本提案の解決策の歯ブラシホルダ筐体の第１の実施形態の第４の実装形態による、フロントカバー窓の上面図を示す概略図である。
【図１４Ｄ】本提案の解決策の歯ブラシホルダ筐体の第１の実施形態の第４の実装形態による、フロントカバー窓の右側面図を示す概略図である。
【図１４Ｅ】本提案の解決策の歯ブラシホルダ筐体の第１の実施形態の第４の実装形態による、フロントカバー窓の底面斜視図を示す概略図である。
【図１４Ｆ】本提案の解決策の歯ブラシホルダ筐体の第１の実施形態の第４の実装形態による、フロントカバー窓の上面斜視図を示す概略図である。
【図１５Ａ】歯ブラシヘッドを受け入れるための筐体を有し、歯ブラシが筐体から取り外される間に歯ブラシのブリッスルに流体を供給するための組み込み殺菌流体ディスペンサを有する、歯ブラシホルダの前面図を示す図である。
【図１５Ｂ】１５Ａに対応する側面図を示す図である。
【図１６】本提案の解決策の一実装形態による、殺菌歯ブラシホルダを示す分解斜視図である。
【図１７】図１６に示す本提案の解決策の実装形態による、組み立て済み殺菌歯ブラシホルダを示す斜視図である。
【図１８】図１６に示す殺菌歯ブラシホルダのバックカバーを示す斜視図である。
【図１９】図１６に示す殺菌歯ブラシホルダの貯蔵器を示す斜視図である。
【図２０】図１９に示す貯蔵器の側断面図である。
【発明を実施するための形態】
【００２１】
図面全体を通して同様の特徴は同様の符号が付されている。本明細書における「上部」および「底部」など（ただし、これらには限定されない）の位置限定詞への言及は、本願で提示される図面の向きのみを基準にして行っており、いかなる絶対的な空間的向きも暗黙的に示すものではない。
【００２２】
工場から出荷されたばかりの歯ブラシを最初に使用するとき、歯ブラシは清潔で安全に使用できるという快適感を与える。一旦使用すると、歯ブラシは口腔細菌および口腔内に存在するその他の細菌と接触している。歯ブラシをすすぐと多少の衛生感を与えるが、露出した歯ブラシヘッドのブリッスルが口腔からの残留バクテリアまたは細菌を含んでいる可能性があり、空中細菌も付着させる可能性があるという消えない感覚がある。
【００２３】
歯ブラシの保管において快適感と安心感をユーザに与えることとしては、（１）ブリッスルを空中汚染物質にさらさず、ブリッスルを他の物体に物理的に接触させないように保護して歯ブラシを保管する方法を提供することと、（２）ブリッスルの表面に残留細菌または新たに侵入する細菌が存在し、増殖している可能性があるという印象を防ぐために、殺菌剤の塗布によってブリッスルを殺菌することとがある。この２つの要素の組合せは、ほとんどのユーザにとって、歯ブラシを使用するたびに歯ブラシが工場から出荷されたばかりの歯ブラシと同様であると安心させるのに十分である。ユーザはさらに、殺菌剤からブリッスルに与えられるフレーバにより殺菌剤の使用を知ることによって快適さを感じることができる。このようなフレーバは、練り歯磨きにフレーバがあればそれに追加されるが、気づかせることができる。例えば、多くの洗口液に付随するフレーバは、練り歯磨きから明確に区別することができる。タイム、クローブ、レモン、オレガノ、バジル、シナモン、ローズマリーなどの精油など、自然の抗菌性オイルは、ミントなどの典型的な練り歯磨きフレーバとは異なる心地よいフレーバを有するであろう。
【００２４】
これは、最低限の基礎構造で達成することができ、かなりコンパクトとすることができる。ブリッスルは、筐体によって空中汚染物質から保護することができる。歯ブラシハンドルは、典型的にはなめらかな表面が付着させる汚染物質がブリッスルよりも少ないため、保護する必要がない。以下で説明する一部の実施形態では、ねじり動作または位置合わせ不良動作のためにブリッスルを筐体に接触させることなく、歯ブラシ本体のヘッドとネックとを筐体内に安全に導くために、凹面形状のローラが使用される。このような場合、ホルダはほとんどの一般的な市販の歯ブラシヘッドに対応する。当然ながら、ヘッドを挿入および取り外しするときにブリッスルがホルダと物理的に接触するリスクを限定的にした保管を実現するために、歯ブラシヘッドを特定のホルダ設計とともに使用するように適合化させることもできる。
【００２５】
これらの２つの要素の組み合わせが効果的であるように、好ましくは筐体がブリッスルと物理的に接触する可能性がほとんどないようにして歯ブラシヘッドを出し入れすることができさえすれば、筐体の外部においても、殺菌剤のアプリケータを使用してブリッスルに液体を塗布することができる。あるいは、保管のために挿入した後で殺菌液を塗布することができるように、アプリケータは筐体の内部にあってもよい。
【００２６】
図１Ａ、図１Ｂ、図１Ｃおよび図１Ｄに、本提案の解決策の一実施形態による歯ブラシホルダ１００を示す。図７Ｄを参照すると、ヘッド１２と、ヘッド１２から延びるブリッスル１４と、ハンドル１６と、ヘッド１２とハンドル１６の間のネック１８とを有する個別の歯ブラシ１０の一例も示されている。
【００２７】
本提案の解決策のこの実施形態では、歯ブラシホルダ１００は、大まかに、歯ブラシホルダ筐体１１０またはハウジングと、クランプ部材２００などの歯ブラシ保持機構と、殺菌剤用貯蔵器３００とを含む。ハウジング１１０は、歯ブラシホルダに挿入された歯ブラシ１０を保護するように構成される。好ましくは、ハウジング１１０は防滴筐体である。筐体１１０の底部には、歯ブラシを通すための開口部１０２が設けられる。例示の実施形態では、ヘッド１２は、歯ブラシ１０の長手方向軸に沿って開口部１０２を通して筐体１１０内に取り外し可能に挿入可能である。
【００２８】
第１の実装形態によると、歯ブラシホルダ筐体１１０は、フロントカバー１２とバックカバー（必ずしもプレートではない）１１４とを含む。フロントカバー１１２がバックカバー１１４と嵌め合わさる構成において、図１Ｂに筐体１１０のフロントカバー１１２を示し、図１Ａ、図１Ｃおよび図１Ｄに、フロントカバー１１２とバックカバー１１４の両方を示す。例えば、図３Ａ、３Ｂ、図３Ｃおよび図３Ｄを参照すると、フロントカバー１１２とバックカバー１１４とはスナップ式に互いに嵌め合わさるように、または摺動式に互いに係合するように構成される。ただし、使い捨て構成の場合は、フロントカバー１１２とバックカバー１１４とは接着されてもよい。好ましくは、例えば、食洗機またはフロントカバー１１２の製造材料と適合するその他の任意の適切な殺菌手段によって洗浄するために、フロントカバー１１２は取り外し可能である。本発明を限定することなく、図１Ａおよび図１Ｄに示す壁取付け構成の場合、フロントカバー１１２はさらに、例えば飛沫を防ぐために、バックプレート１１４を可能な限り露出させないように構成される。フロントカバー１２の底部は、筐体開口部１０２の画定の一部をなすことができる。本発明を限定することなく、図１Ｃに、垂直線に対して角度１１６をなして嵌め合うフロントカバー１１２とバックプレート１１４とを示す。この第１の実施形態では、バックプレート１１４は概ね楔形を有する。この第１の実施形態のフロントカバー１１２のその他の詳細については、図８Ａ、図８Ｂ、図８Ｃ、図８Ｄ、図９Ａ、図９Ｂ、図９Ｃ、図９Ｄおよび図９Ｅを参照しながら以下で詳細に説明する。明確化のために付言すると、本発明は対称形の歯ブラシホルダ筐体１１０には限定されない。対称形歯ブラシホルダ筐体１１０の実装形態は、本明細書における説明を容易にするための例示に過ぎない。非対称形の歯ブラシホルダ筐体１１０を図７Ａおよび図７Ｂに示す。
【００２９】
バックプレート１１４に戻ると、図２Ａ、図２Ｂ、図２Ｃ、図２Ｄおよび図２Ｅに、本提案の解決策の実施形態の第１の実装形態によるバックプレート１１４を示す。バックプレート１１４は、平坦な中央部１１８を含む概ね平坦な形状を有する。バックプレート１１４は、ほぼ垂直の壁に、好ましくは１５半永久的に接着剤によりタイルに、またはネジなどで（図１０Ａ、図１０Ｂ、図１０Ｆおよび図１０Ｇを参照すると、図示されてない留め具を使用して木材に）永久的に取り付けられるように構成される。使い捨て歯ブラシホルダ１００は、吸盤留め具を採用することができる。本発明を限定することなく、図２Ｄに、平坦な中央部１１８における、接着剤または両面テープを付けることができる長円形の中央領域を示す。
【００３０】
第１の実施形態の本実装形態のバックプレート１１４は、フロントカバー１１２とのスナップ式嵌め合わせを行う際に一部が使用される周辺縁端部１２１を有し、フロントカバー１１２はバックカバーの長円形の周辺縁端部の周囲に延びるように構成されたスナップタブを有し、バックプレート１１４の露出を図１Ａ、図１Ｃおよび図１Ｄに示すよりもさらに減少させる（図示せず）。別の実装形態によると、スナップタブは、フロントカバー１１２とバックカバー１１４との間、例えば図７Ｉの非作動位置と図７Ｊの作動位置との間の制限された摺動式係合を可能にする。本提案の解決策の一部の使い捨て実装形態の場合、フロントカバー１１２は、バックプレート１１４の長円形の周縁１２１の周りに接着することができる。バックプレート１１４の周辺縁端部１２１の底部は、筐体開口部１０２の画定の一部をなすことができる。
【００３１】
本発明は、不連続な周辺縁端部１２１には限定されず、図３Ａ、図３Ｃおよび図３Ｄに、全体的に卵形の周辺縁端部１２１を示す。
【００３２】
バックプレート１１４は、歯ブラシホルダ１００の歯ブラシグリップ要素（２００）を係合するようにさらに構成される。本提案の解決策の第１の実施形態の一実装形態によると、図のように歯ブラシホルダ筐体１１０を基準にして前方に、バックプレート１１４から離れる方向に延びる一対のほぼ水平な支持（下部）タブ２６０が、殺菌剤ディスペンサ（３００）と歯ブラシグリップ要素２００とのうちの少なくとも一方を載せるように設けられる。本発明は、一対の支持タブ２６０、水平支持タブ２６０、または下部支持タブ２６０の前方への延伸には限定されない。例えば、一対の対称支持タブ２６０は説明を簡単にするための例示に過ぎず、歯ブラシグリップ要素２００を参照しながら後述するように単一のタブ２６０で十分な場合もある。または、１つまたは複数のタブ２６０が図面の向きを基準にして側方に延びていてもよい（図示せず）。バックプレート１１４は、例えば歯ブラシホルダ１００を、バックプレート１１４を取り付ける壁に対して角度１１６をなして壁に取り付けるために、図２Ｃに示すように、横から見たときに、バックプレート１１４の周辺縁端部１２１をバックプレート１１４の中央部１１８に対して角度１１６をなして向ける楔形状（１６６）を有することができる。したがって、支持タブ２６０は壁に対してほぼ直角、またはバックプレート１１４の周辺嵌め合い縁端部１２１の面に対してほぼ直角とすることができる。明確化のために付言すると、バックプレート１１４の周辺嵌め合い縁端部１２１は、一平面内にある必要はなく、支持タブ２６０は壁に向かって角度をなしてもよく、または一方の側に角度をなしていてもよい。
【００３３】
本提案の解決策の第１の実施形態の第２の実装形態により、図３Ａ、図３Ｂ、図３Ｃおよび図３Ｄに、フロントカバー１１２をスナップ式嵌め合いまたは摺動式係合で係合させるためのスナップタブ２７０を含むバックプレート１１４と、歯ブラシグリップ要素２００を係合させるための異なる構成とを示す。
【００３４】
第１の実施形態の第２の実装形態では、フロントカバー１１２とバックプレート１１４とのスナップ式嵌め合いおよび／または制限的摺動係合が、必ずしも連続的ではなく概ねバックプレート１１４の周辺縁端部１２１の周りにバックプレート１１４から前方に延びる短壁２７２によってもたらされる。この第２の実装形態では、壁２７２は、改良されたスナップ式嵌め合いおよび／または摺動式係合を可能にし、例えば適合するポリマーなどの弾力性材料から製造することができる。壁２７２は、壁２７２の非屈曲部２７２と短壁２７２に設けられた屈曲スナップタブ２７０との間の切り欠き２７４（例えば図１０Ｅ、図１０Ｆおよび図１０Ｇに示す）により不連続とすることができる。スナップタブ２７０は、フロントカバー１１２をバックカバー１１４とのスナップ式係合状態に保持するため、または、フロントカバー１１２とバックカバー１１４との間の摺動式係合を制限するために、フロントカバー１１２を係合するためのフック要素を含むことができる。
【００３５】
なお、歯ブラシは、歯ブラシがグリップ要素２００によって保持された状態で筐体開口部１０２を通して挿入される。すべての実施形態で必ずしも必要というわけではないが、筐体開口部１０２とグリップ要素２００との間の何らかの形態の位置合わせが有利な場合がある。第１の実施形態の第２の実装形態によると、歯ブラシグリップ要素２００と殺菌剤ディスペンサ３００とのために支持および位置合わせ（２６０）が提供される。一対の支持タブ２６０が設けられるが、図１０Ａおよび図１２Ａに示す支持タブ２６０は互いに（互いに向かって、互いから離れて、斜めになど）角度をなすことができることに留意されたい。本発明を限定することなく、支持タブ２６０のうちの少なくとも１つの配向角は、グリップ要素２００がグリップ構成に戻るための手段を提供することができ、歯ブラシの把持力を強化し、グリップ要素２００の位置合わせ、またはこれらの任意の組み合わせを行うための手段を提供することができる。本発明を限定することなく、支持タブ２６０のうちの少なくとも１つの配向角は、グリップ要素２００と歯ブラシホルダ筐体１１０とのうちの少なくとも一方を基準にして殺菌剤供給口３３２の位置合わせを可能にする。
【００３６】
別の支持タブ、例えば図の上部支持タブ２８０を、例えばバックプレート１１４のほぼ頂点に設けることができ、グリップ要素をさらに支持、および／または、位置合わせするように構成することができる。本発明を限定することなく、位置合わせは、バックプレート１１４を基準にして傾けられる上部タブ２８０によって、および/または、スリット２８２内に延びる適切に構成されたグリップ要素２００、例えばスリット２８２内に延びるグリップ要素２００上の突起２８４のための、その中の（一対のタブ２８０の間の）スリット２８２によって行うことができる。明確化のために付言すると、支持タブ２８０の対称性は例示に過ぎず、本発明の必要条件ではない。
【００３７】
必須ではないが、左右のスナップタブ２７０が短壁２７２を越えて外に伸び、下部支持タブ２６０の周囲に位置するように図示され、例えば、下部支持タブ２６０の強度を強化し、および／または、歯ブラシグリップ要素２００および／または殺菌剤ディスペンサ３００の側方位置合わせをさらにもたらす。
【００３８】
別の任意選択のクラウンタブ２９０が示されている。クラウンタブ２９０は、単独で、または歯ブラシホルダ筐体１１０と組み合わさって、歯ブラシが歯ブラシホルダ１００に挿入される間に対抗力を与える。クラウンタブ２９０は、スナップタブ２７０の構成においても用いられる材料偏位に対抗することもできる。クラウンタブ２９０が存在しない場合、フロントカバー１１２または短壁２７２が、歯ブラシが歯ブラシホルダ１００に挿入される間の対抗力を与える。明確化のために付言すると、クラウンタブ２９０はクラウン形状である必要はない。
【００３９】
本提案２０の解決策の第１の実施形態の第２の実装形態により、図４Ａ、図４Ｂ、図４Ｃ、図４Ｄおよび図４Ｅに、バックプレート１１４と、歯ブラシグリップ要素２００と、殺菌剤ディスペンサ３００との組み合わせを示す。グリップ要素２００は、例えば、下部支持タブ２６０と、上部支持タブ２８０と、任意選択によりクラウンタブ２９０とを少なくとも介して、バックプレート１１４と協働する。グリップ要素タブ２１０が、バックプレート１１４の下部支持タブ２６０上に載ることができる。図のグリップ要素２００は、上部支持タブ２８０の間のスリット２８２と協働するガイド２８４を含むが、本発明はこれに限定されない。本明細書で「カバー本体」と言うとき、歯ブラシホルダ筐体１１０全体を含むことを意図している。
【００４０】
歯ブラシグリップ要素２００は、歯ブラシ、好ましくは歯ブラシヘッドを締め付けることによって、歯ブラシを機械式に係合するように構成される。この組み合わせの１つの使用法によると、上部支持タブ２８０（および、あればクラウンタブ２９０）が、例えばスナップフックまたは別個の機構を介してグリップ要素２００を確実に係合し、歯ブラシがクラウンタブ２９０および／または壁２７２（いずれか存在する方）に接してグリップ要素２００内に挿入され、支持タブ２８０／２６０の少なくともいずれか一つに接してグリップ要素２００から引き抜かれる。この組み合わせの別の使用方法によると、上部支持タブ２８０は、グリップ要素２００がその上で図の向きを基準にして横方向に摺動される側方フック（図示せず）として機能する。
【００４１】
明確化のために付言すると、歯ブラシグリップ要素２００は、歯ブラシ、好ましくは歯ブラシヘッドを係合し、例えば（一般的な）衛生目的のために筐体から取り外し可能である。明確化のために付言すると、本発明は取り外し可能歯ブラシグリップ要素２００の採用には限定されず、使い捨て歯ブラシホルダ１００では、歯ブラシグリップ要素２００は取り外し可能でなくてもよい。使い捨て歯ブラシホルダ１００は、ホテル産業、不可抗力、緊急対応、伝染病対応、または病院内または高齢者介護／家庭環境で使用してもよい。
【００４２】
図４Ｃに、グリップ要素２００と組み合わさったバックプレート１１４の傾斜部（１１６）を最もよく示す。バックプレート１１４の傾斜部（１１６）は、挿入されるときに壁に向かって曲がるハンドルを有する歯ブラシを考慮に入れることができ、歯ブラシハンドルが（歯ブラシグリップ要素２００と）歯ブラシホルダ１００全体を壁から離れさせるのを防ぐ。破線の四角形／楕円形は、殺菌剤ディスペンサ３００が占める大まかな空間を表す。
【００４３】
フロントカバー１１２とバックプレート１１４とグリップ要素２００との組み合わせは、歯ブラシの移動経路を筐体開口部１０２と実質的に位置合わせするとともに、歯ブラシのブリッスルを、貯蔵器３１０から殺菌剤が供給される殺菌剤供給開口部３２２と位置合わせするように構成される。図４Ｂに、筐体開口部と位置合わせされたグリップ要素２００の端部２０４を最もよく示す。
【００４４】
図７Ａから図７Ｊに、本明細書で後述する側方構成を有する殺菌歯ブラシホルダ１００を示す。
【００４５】
クリップ
図５Ａ、図５Ｂ、図５Ｃ、図５Ｄ、図５Ｅ、図５Ｆおよび図５Ｇに、本提案の解決策の第１の実施形態による歯ブラシグリップ要素２００の第１の実装形態を示す。
【００４６】
歯ブラシグリップ要素２００は、クリップ（２００）と、任意選択により、例えば上述のような位置合わせ要素（２１０）２８４とを含む。明確化のために付言すると、この突起２８４は、一部の実施態様においてのみ存在する。上述のように、突起２８４の存在は必要条件を意味しない。なお、説明において「クリップ」と言うときは歯ブラシグリップ要素２００も含む。
【００４７】
クリップ２００は、互いに向かって付勢され、少なくとも歯ブラシヘッドと係合（および保持）するように協働する２つの対向するグリップ部材２０２を含む。クリップ２００は、歯ブラシを歯ブラシホルダ１００に保持するために、歯ブラシヘッドと歯ブラシネックのうちの少なくとも一方を把持するように構成される。グリップ部材２０２は、互いに対して付勢させることができ、弾力性材料、例えば、ポリマーに限定されない弾性材料から製造される。金属クリップ２００も必要な弾性把持力を与え得る。製造の観点からは、ポリマーをクリップ２００の形状に射出成形することができる。本発明は、製造技術には限定されない。
【００４８】
グリップ部材２０２は、歯ブラシのヘッド部への挿入によって、およびその逆にヘッド部からの取り出しによって分離される。
【００４９】
一部の実施形態では、歯ブラシは重力の垂直力に逆らって歯ブラシホルダ内に保持される。他の実施形態では、歯ブラシヘッドは、歯ブラシ筐体１１０から離隔（離れて）歯ブラシホルダ１００内に保持される。好ましくは、歯ブラシ全体と歯ブラシホルダ１００全体との間の係合領域は最小限にされる。好ましくは、係合は、グリップ部材２０２の端部２０４に縮小される。
【００５０】
図４Ａ、図４Ｂ、図４Ｃ、図４Ｄ、図４Ｅ、図５Ａ、図５Ｂ、図５Ｃ、図５Ｄ、図５Ｅ、図５Ｆおよび図５Ｇに主として示されている第１のクリップ実装形態を参照すると、グリップ要素端部２０４はローラ２０６を採用しているが、本発明はこれに限定されない。各ローラ２０６は、クリップ２００と歯ブラシとの間に回転する機械式係合をもたらす対応する旋回軸を中心として旋回するように構成される。歯ブラシのヘッド部は、クリップ２００の戻り狭窄力により歯ブラシがグリップに嵌まるまで、ローラ２０６の上（の間）を摺動することができる。一部の実施形態では、ローラ２０６が歯ブラシのネック部を係合すると、歯ブラシはグリップに嵌まる。
【００５１】
明確化のために付言すると、本発明は、両方のグリップ部材２０２に弾力性があることには限定されない。単一の弾力性グリップ部材２０２が硬質グリップ部材（２０２）に突き当たることも有効であろう。例えば、図７Ｂに示す実装形態は、硬質のバックカバー１１４に当たる弾力性のあるグリップ要素２０２を採用している。
【００５２】
好ましくは、ローラ２０６は、歯ブラシのヘッドおよび／またはネックのための溝状のガイド２０８をその間に形成する。例えば、ローラ２０６は、その間に溝状のガイド２０８を画定する円周切り欠き２１２を含む。一方のローラ２０６のみが硬質の対向部材２０２に接して使用される場合、その単一のローラの単一の円周切り欠き２１２が、溝状ガイド２０８をもたらすことができる。円周切り欠き２１２は（単独で、または組み合わさって）、各ローラ２０６が鞍状の領域を使用して歯ブラシヘッドを係合させるように、グリップ部材２０２の間の溝状ガイド２０８内に入る歯ブラシヘッドに対して歯ブラシホルダ１００の底部に凹状のくぼみを与える。
【００５３】
明確化のために付言すると、本発明は２つのローラ２０６の使用には限定されない。３つ以上のローラ２０６を採用（図示せず）することもでき、それらのローラ２０６は歯ブラシのネックを係合させる必要はない。他方のグリップ部材２０２に突き当たる単一のローラ２０６も有効であろう。例えば、ローラ２０６を採用すると、ゴム引きのヘッド側部を備える歯ブラシの使用が可能になる。
【００５４】
図６Ａ、図６Ｂ、図６Ｃ、図６Ｄ、図６Ｅおよび図６Ｇに、本提案の解決策の第１の実施形態の歯ブラシグリップ要素２００の第２の実装形態を示す。説明を簡潔にするために、第１の歯ブラシグリップ要素２００実装形態と類似した構造および要素の説明は繰り返さない。第２のクリップ２００実装形態は、ローラ（２０６）自体を使用せず、代わりにグリップ部材端部２０４が、間に溝状ガイド２０８を画定する対向切り欠き２１２を含む。切り欠き２１２は、摺動機械式係合により、少なくとも歯ブラシヘッドを係合するように構成される。切り欠き２１２は、互いから遠ざかるように広がり、入来する歯ブラシヘッドに対して凹状のくぼみを与え、各切り欠き２１２が鞍状領域を使用して歯ブラシヘッドを係合させるように、溝状ガイド２０８内に導く。ローラ２０６と同様に、同様の変形態様、切り欠き２１２の数およびグリップ部材２０２の材料弾力性の変形態様も採用可能である。
【００５５】
好ましくは、クリップ２００は、端部２０４  １５  から、歯ブラシのブリッスルの所望の向きにクリップ端部２０４から全般的に遠ざかる方向に延びる少なくとも１つのタブ２１０を含む。例えば図４Ａ、図４Ｂ、図４Ｃ、図４Ｄ、図４Ｅ、図５Ａ、図５Ｂ、図５Ｃ、図５Ｄ、図５Ｅ、図５Ｆ、図５Ｇ（および図６Ａ、図６Ｂ、図６Ｃ、図６Ｄ、図６Ｅ、図６Ｆ、図６Ｇ）に、歯ブラシホルダ１００の背面に向かって延びる一対のクリップタブ２１０を示す。ただし、本提案の解決策によると、ブリッスルが貯蔵器要素３１０の供給口３２２に向いた状態で歯ブラシを挿入するために、この一対のクリップタブ２１０は共有口３３２に向かって延びる。
【００５６】
クリップタブ２１０は、その間にスリット２１４を形成する。本提案の解決策によると、クリップタブ２１０は、歯ブラシヘッドがクリップローラ２０６の間に挿入されて歯ブラシを特定の向きに強制することができる一方、歯ブラシヘッドがクリップ２００に挿入されるのを防ぐように構成される。スリット２１４は、ブリッスルがタブ２１０の間を通過することができるようにする。
【００５７】
図４Ａ、図４Ｂ、図４Ｃ、図４Ｄ、図４Ｅ、図５Ａ、図５Ｂ、図５Ｃ、図５Ｄ、図５Ｅ、図５Ｆ、図５Ｇ（および図６Ａ、図６Ｂ、図６Ｃ、図６Ｄ、図６Ｅ、図６Ｆ、図６Ｇ）に、歯ブラシヘッドがクリップ２００に移動する方向に対して概ね垂直なクリップタブ２１０を示すが、本発明は歯ブラシの移動を阻止することには限定されない。代替として、クリップタブ２１０は、入来する歯ブラシヘッドに対して凸状の全表面を呈して歯ブラシヘッドを逸らすように構成することができる。また、クリップタブ２１０は、歯ブラシヘッドの移動方向を基準として離れる方向または斜めに（図１１Ａ、図１１Ｂ、図１１Ｅおよび図１１Ｆ）角度をなして同一平面上にあることができる。
【００５８】
少なくとも１つのクリップタブ２１０は、貯蔵器３００の供給口３２２からブリッスルを一定の距離に離隔するために使用されてもよい。本発明を限定することなく、クリップ２００またはクリップタブ２１０は、殺菌剤が供給されるようにする役割、または、供給口３２２を介した殺菌剤の放出を直接または間接的に引き起こす作動装置の役割を果たすことができる。例えば、クリップタブ２１０は、殺菌剤を放出させるために貯蔵器要素３００の一面に（機械的に）突き当たるように構成することができる。
【００５９】
図４Ａ、図４Ｂ、図４Ｃ、図４Ｄ、図４Ｅ、図５Ａ、図５Ｂ、図５Ｃ、図５Ｄ、図５Ｅ、図５Ｆ、図５Ｇ、図６Ａ、図６Ｂ、図６Ｃ、図６Ｄ、図６Ｅ、図６Ｆおよび図６Ｇに、クリップ２００とバックプレート１１４との間に配置された供給口３２２からブリッスルを離隔させるようにブリッスルの方向にバックプレート１１４に向かって逸れて延びるクリップ２００本体を示す。ただし、本発明は、タブ２１０先端によってブリッスルをバックプレート１１４から離隔することには限定されない。明確化のために付言すると、本発明は、歯ブラシホルダ１００内で歯ブラシを正しい向きに配置するためにクリップタブ２１０を使用することには限定されない。
【００６０】
図７Ａおよび図７Ｂに、本提案の解決策の別の実施形態による衛生的歯ブラシホルダ１００の別の実装形態を示す。図７Ａは、歯ブラシのブリッスルが側方に逸らされた状態で歯ブラシが嵌め込まれた、組み立て済み歯ブラシホルダ１００を示す。図７Ｂは、図７Ａに示す歯ブラシホルダ１００の分解図を示す。説明を簡潔にするために、上述の各実施形態と類似した構造および要素の説明は繰り返さない。
【００６１】
図７Ｂを参照すると、ローラ２０６の１つがバックプレート１１４上に設けられ、壁２７２がバックカバー１１４を補強してバックカバー１１４のコンプライアンスを低減する役割を果たすのが注目される。対向ローラ２０６が、軸３３０を中心に旋回する弾力性部材２０２の上に設けられる。弾力性部材２０２とバックカバー１１４とを位置合わせするために、タブ３３２がバックカバー１１４の上部の溝３３４の下に嵌まるように構成される。
【００６２】
バックカバー１１４は、（図７Ｂに示す意味で）完全に卵形ではなく、左下に切り欠き３０２を有するのが注目される。切り欠き３０２は、殺菌剤を保持する貯蔵器３１０を提供する交換可能殺菌カートリッジ３００のガイドとなるように構成される。カートリッジ３００には供給トリガ３２０が設けられている。例えば、一実装形態により、図７Ｂに、供給口３２２を有する供給トリガ３２０噴霧ボタンを示す。貯蔵器３１０内の殺菌剤は、加圧状態とすることができるが、本発明はこれには限定されない。カートリッジ３００と歯ブラシとが並んで歯ブラシホルダ１００内に保持されているときのみ、供給口３２２が、歯ブラシのブリッスルに向かって、歯ブラシホルダ筐体１１０を基準にして側方に向けられる（図７Ａ参照）。本発明を限定することなく、カートリッジ３００には、バックカバー１１４上のガイドおよび配向溝３０６との摺動可能機械式係合のために構成された追加のタブ３０４を設けることができる。例えば、壁取付け実装形態の場合、フロントカバー１１２は、バックカバー１１４の背面の溝３３８内で旋回するように構成されたヒンジピン３３６を含む。壁取付け実装形態の場合は不要であるが、フロントカバー１１２は、装置のユーザにより押し下げられることができる供給作動領域を示すくぼみ３４０を含んでもよい。旅行用実装形態の場合、くぼみ３４０は、殺菌剤を供給させるためのボタン３４２をその内部に含むことができ、カバー１１２が、実際のボタン３４２が誤って殺菌剤の放出を引き起こすことがないように保護する役割を果たす。以下で詳述するように、ボタン３４２の下側は、ポンプ３１２のトリガボタン３２０を押すように構成された少なくとも１つの作動フィンガ３４４を有することができる。
【００６３】
本提案の解決策によると、殺菌歯ブラシホルダ１００は、殺菌剤の制御された供給を引き起こすための放出手段を含む。一部の実施形態では、放出手段は、例えば貯蔵器が一定量の殺菌剤を供給するようにさせるボタンを含む、放出トリガを含む。
【００６４】
図７Ａおよび図７Ｂに示す壁取付け実装形態によると、フロントカバー１１２（または実際のボタン３４２）は、押し下げられると、供給口３２２を介して貯蔵器３１０から殺菌剤を供給するために放出トリガ３２０に突き当たる。例えば、ローラ２０６の間の弾力性部材２０２によって歯ブラシが固定された状態で、殺菌剤が流体である場合は、噴霧ボタン３２０によって殺菌剤を、ノズルとして構成された供給口３２２から歯ブラシのブリッスルに対して噴出させることができる。噴霧ボタン３２０は、ポンプ噴霧ディスペンサの押しボタンとすることもできる。別の例として、歯ブラシを殺菌歯ブラシホルダ１００に挿入する前に、供給トリガ３２０によって、ゲルまたはペーストの形態の殺菌剤を供給口３２２から出させて小球を形成することができ、小球はローラ２０６に向かって一定の距離だけ延びる。歯ブラシヘッドを、ローラ２０６を通して歯ブラシホルダ１００に挿入すると、ブリッスルが殺菌剤の小球のメニスカスを破る。ブリッスルは、殺菌剤を例えばブリッスル管作用により引き上げる。
【００６５】
図７Ｃに、本提案の解決策の別の実装形態による、殺菌剤ディスペンサカートリッジ３００を装填するために開いた殺菌歯ブラシホルダの斜視図を示す。図７Ｄに、殺菌剤ディスペンサカートリッジ殺菌剤ディスペンサカートリッジを有する殺菌歯ブラシホルダの分解図を（歯ブラシとの位置関係で）示す。クリップ２００が取り外され、摺動されてタブ３０４と溝３０６とが機械式係合する前のディスペンサカートリッジ３００が示されている。図の実装形態によると、フロントカバー１１２は剛体であり、ヒンジピン３３６によりバックカバー１１４のヒンジくぼみ３３８内にヒンジ留めされており、フロントカバーは、噴霧ボタン３２０に突き当たって貯蔵器３１０から殺菌剤の制御された供給を引き起こすように構成された作動フィンガ３４４を含むが、本発明はこれには限定されない。
【００６６】
図７Ｅに、図７Ｃに示すようなフロントカバーがないが、クリップ２００と歯ブラシとがその中に保持された、殺菌歯ブラシホルダの斜視図を示す。歯ブラシがクリップ２００内に保持されると歯ブラシのブリッスルに向けて、噴霧ノズル３２２が歯ブラシホルダ１００の向きを基準にして側方に向けられるのが注目される。図７Ｆおよび図７Ｇは、図７Ｅに示すフロントカバーのない殺菌歯ブラシホルダの構成の上面図および右側面図をそれぞれ示す。図７Ｈは、フロントカバー１１２が取り付けられた図７Ｃ、図７Ｄ、図７Ｅ、図７Ｆおよび図７Ｇに示す組み立て済み殺菌歯ブラシホルダの上面図を示す。
【００６７】
図７Ｉおよび図７Ｊに、図７Ｉの通常（非作動、静止）位置と図７Ｊの作動位置との間の動作時の殺菌歯ブラシホルダの右側面図を示す。作動位置では、図７Ｃに示す作動フィンガ３４４が噴霧ボタン３２０に突き当たって、制御された量の衛生剤をノズル３２２を介して歯ブラシヘッドに向けて供給させる。
【００６８】
他の実装形態（図示せず）では、放出手段は、貯蔵器が一定量の殺菌剤を供給するようにさせるために筐体を変形させることを含む。さらに他の実装形態（図示せず）では、放出手段は、一定量の殺菌剤を供給するように貯蔵器を変形させることを含む。さらに他の実装形態（図示せず）では、放出手段は、貯蔵器が一定量の殺菌剤を供給するようにさせるためにクランプを変形させることを含む。さらに他の実装形態では、放出手段は、一定量の殺菌剤を供給するように貯蔵器を変形させるように構成されたラチェット手段を含む。一部の実装形態では、ラチェット手段は、２０歯ブラシヘッドを歯ブラシホルダに挿入することによって作動するラチェットを含む。他の実装形態では、ラチェット手段は、歯ブラシヘッドを歯ブラシホルダに挿入することによって作動するラチェット歯車を有するローラを少なくとも含む。
【００６９】
フロントカバー
フロントカバー１１２の説明に戻ると、フロントカバーは必ずしも単体ではない。図８Ａ、図８Ｂ、図８Ｃおよび図８Ｄに、概ね透明であるが必ずしも透明ではなく、上述のようにバックプレート１１４を係合するように構成された第１のフロントカバー要素１２０を示す。図７Ａに示す実装形態では、フロントカバー１１２はシースルーであり、透明とすることも可能である。好ましくは、図１３Ｂ、図１３Ｄ、図１３Ｅおよび図１３Ｆに示すように、カバー１１２は、本明細書で上述したようにスナップ係合２７０によりバックプレート１１４を係合する。
【００７０】
好ましくは、フロントカバー１１２は、図１Ｂ、５、図１Ｃ、図１Ｄ、図８Ｂ、図８Ｃおよび図８Ｄに最もよく示されているように張り出し側部１０３を含み、歯ブラシヘッドを歯ブラシホルダ１００に挿入するためのガイドをさらに提供するが、張り出し側部１０３は必須ではない。
【００７１】
フロントカバー１１２は、歯ブラシホルダ筐体１１０が見える窓１３０を備えることができる。図９Ａ、図９Ｂ、図９Ｃ、図９Ｄおよび図９Ｅに、第２のフロントカバー要素１３０である窓を示す。例えば、フロントカバー窓１３０は、涙滴形状とすることができ、第１のフロントカバー要素１２０へのスナップ式嵌め合いに適合させた形状および構成の特徴を有することができる。
【００７２】
変形態様
提案の解決策の第１の実施形態の第４の実装形態により、図１０Ａ、図１０Ｂ、図１０Ｃ、図１０Ｄ、図１０Ｅ、図１０Ｆおよび図１０Ｇに、再利用可能衛生バックプレート１１４を示す。図３Ａ、図３Ｂ、図３Ｃおよび図３Ｄに示すバックプレート１１４と共通する特徴については説明を繰り返さない。
【００７３】
バックプレート１１４は、断続的な周壁２７２を備えた全体として卵形の形状を有する。材料の選定により、例えばポリマー、および／または、材料厚自由伸長のスナップタブ２７０を、フロントカバー１１２を係合させる際に周壁２７２よりも屈曲するように構成することができる。周壁２７２は、フロントカバー１１２を係合させる際に、強化された剛性をもたせるように構成することができ、スナップタブ２７０はフロントカバー１１２をバックプレート１１４に向かって引いて閉じる役割を果たす。
【００７４】
図１０Ｂに示すように、バックプレート１１４の背面に、両面テープまたは接着剤を付けるための長円形領域１１８が設けられるとともに、図１０Ａ、図１０Ｂ、図１０Ｆおよび図１０Ｇに最もよく示されているように、浴室の壁との確実な結合のための留め具または吸盤（図示せず）を受け入れて係合するための補強開口部が設けられる。
【００７５】
第４の実装形態によると、支持タブ２７０が補強される。図１０Ａ、図１０Ｆおよび図１０Ｇにおいて最もよく見えるように、下部支持タブ２６０は周壁２７２と一体化されている。図１０Ａ、図１０Ｄおよび図１０Ｇにおいて最もよく示されているように、上部支持タブ２８０は突起によって補強されている。上部カバー１１２がバックプレート１１４にヒンジ留めされ（３３６／３３８、図示せず）、支持タブ２７０は、上部カバー１１２を非作動（図７Ｉ）位置に保持するとともに、上部カバー１１２をタブ２７０に沿って作動位置（図７Ｊ）に向かって摺動係合させるように構成することができる。
【００７６】
図１１Ａ、１１Ｂ、１１Ｃ、１１Ｄ、１１Ｅ、１１Ｆおよび１１Ｇに、再利用可能衛生歯ブラシグリップ要素２００またはクランプ２００を示す。図５Ａ、図５Ｂ、図５Ｃ、図５Ｄ、図５Ｅおよび図５Ｇに示すクランプ２００と共通の特徴については説明を繰り返さない。
【００７７】
クランプ２００は、図１１Ｂ、図１１Ｅおよび図１１Ｆに最もよく示されている対応する突起によって補強された一対の歯ブラシグリップ要素タブ２１０を採用する。なお、クランプタブ２１０は、図１１Ａ、図１１Ｂ、図１１Ｅおよび図１１Ｆに示すように同一平面にはない。
【００７８】
図１２Ａ、図１２Ｂ、図１２Ｃ、図１２Ｄおよび図１２Ｅに、組み立て済みの再利用可能衛生歯ブラシグリップ要素２００とバックプレート１１４との組合せを示す。図４Ａ、図４Ｂ、図４Ｃ、図４Ｄおよび図４Ｅに示す組合せと共通する特徴については説明を繰り返さない。
【００７９】
図１３Ａ、図１３Ｂ、図１３Ｃ、図１３Ｄ、図１３Ｅおよび図１３Ｆに、再利用可能衛生フロントカバー１１２／１２０を示す。図８Ａ、図８Ｂ、図８Ｃおよび図８Ｄに示すフロントカバー１２０と共通する特徴については説明を繰り返さない。
【００８０】
フロントカバー１２０には張り出し側壁がないが（図１３Ａ、図１３Ｂおよび図１３Ｅ）、窓（１３０）を形成する２つの側面の間に補強ブリッジ１４０が設けられている。図１３Ａ、図１３Ｂ、図１３Ｃおよび図１３Ｆに最もよく示されているブリッジ１４０は、本明細書で後述するように、窓１３０の固定に関与するように構成することもできる。図１３Ｂおよび図１３Ｅに、ハウジング１１０の下部開口部の周囲に強化された剛性を与える複数の突起が見える。バックプレート１１４のスナップ式嵌めタブ２７０を機械式に係合するためのスナップ式嵌め開口部１７０が、図１３Ｂ、図１３Ｄ、図１３Ｅおよび図１３Ｆに最もよく示されている。スナップ式嵌めタブ２７０は、図１３Ｂ、図１３Ｅおよび図１３Ｆに最もよく示されている溝１７２によって導かれる。溝１７２は、フロントカバー１１２上で、フロントカバー１１２とバックカバー１１４との間の制御された摺動可能係合をもたらすことができる。
【００８１】
図１４Ａ、図１４Ｂ、図１４Ｃ、図１４Ｄ、図１４Ｅおよび図１４Ｆに、再利用可能衛生フロントカバー窓１３０を示す。図９Ａ、図９Ｂ、図９Ｃ、図９Ｄおよび図９Ｅに示すフロントカバー窓１３０と共通する特徴については説明を繰り返さない。
【００８２】
窓１３０は、ブリッジ１４０を係合するための下部フック１３２と、フロントカバー１２０の上部への係合のための上部スナップ式嵌め隆起部１３４とを採用する。フック１３２と１５隆起部１３４の両方が、窓１３０を、フロントカバー１２０とのスナップ式係合状態に、取り外し可能に維持する役割を果たす。
【００８３】
別の変形態様によると、歯ブラシホルダはあらゆる種類の歯ブラシヘッドのためのローラを備えたクリップとすることができるが、歯ブラシヘッドが所定の形状を有する場合には、歯ブラシホルダはその歯ブラシヘッドに適合するように特化された形状とすることができる。本発明は、歯ブラシホルダのための特定の取り付け具には限定されず、例えば磁石、特別な形状のスロットなども有効であろう。
【００８４】
図１５Ａおよび図１５Ｂの実施形態では、殺菌剤ディスペンサ３００が、図１５Ａに示すように歯ブラシのブリッスルに殺菌剤を噴霧可能なようにホルダ１００の外側面に接続された取り付け台４００に保持された、小型噴霧ユニットである歯ブラシホルダ１００の例が示されている。ブリッスルが湿っている場合、殺菌剤はより容易にブリッスルに引き上げられる。したがって、ユーザは歯磨き後に歯ブラシをすすいでから噴霧装置を使用してブリッスルに殺菌剤を塗布し、次に、歯ブラシヘッドを筐体１１０に挿入することができる。図の実施形態では、筐体の側部は、ヘッドを導く間にヘッドを筐体内に保持する弾力性クリップ部材２００である。ブリッスルは、大きなねじり力がなければ筐体の内部には接触しない。図１５Ａに示されているクリップ部材には、ローラがなく、ねじりを防ぐようにヘッドを導くための形状の輪郭もないが、必要であればそのような要素を設けることができることはわかるであろう。
【００８５】
噴霧装置は、空になると交換または補給することができる。上述のように、アプリケータ装置に入った少量の流体は一人用で約１ヶ月間持つことができる。このようなホルダ１００は、要望に応じて、壁面取り付け、または旅行鞄内、洗面台上、または引出し内へでの収納のために使用することができる。
【００８６】
噴霧ユニットを例示したが、ディスペンサ３００内の小型ポンプが、ブリッスルへの送出のために小型チューブまたはノズルなどの送出部材に液体を供給することも可能である。前述のように、湿ったブリッスルは殺菌流体を容易に引き上げ、殺菌剤をブリッスルに分散させる。ユーザが歯磨きの前に、ホルダから歯ブラシを取り外し、ブリッスルを湿らせ、次に殺菌または殺菌剤を施すことができることはわかるであろう。これは保管の前に殺菌剤を塗布する代わりに、または以前の塗布に加えて行うことができる。
【００８７】
ディスペンサ３００は、一人による１ヶ月の通常使用に適した小容量の貯蔵器を有することができる。ほとんどの歯科医は、一日２回の歯磨きを推奨しているため、これは少なくとも約６２回分または約３１日分の塗布に相当する。人によっては一日３回歯磨きをするため、約１００回分入る貯蔵器も企図されてもよい。容量を約１００回分に制限することによって、貯蔵器はより小型化される。場合によっては、貯蔵器をもう少し大型に、例えば約２００回分までとすることが望ましい場合もある。好ましくは、ポンプは１回のポンプ動作で、１回の塗布でブリッスルを処理するのに有効なように十分な殺菌剤を供給するように構成される。
【００８８】
図１５Ａおよび図１５Ｂの実施形態ではアプリケータ装置３００はホルダ１００に接続されているが、アプリケータ３００はホルダ１００とは別個の装置とすることができ、この２つの構成要素をセットまたはキットとして提供することができることはわかるであろう。
【００８９】
図１６から図２０を参照すると、別の好ましい実施形態による歯ブラシホルダ１００が示されている。ホルダ１００は、上述したのと同様に機能するフロントカバー１１２とバックカバー１１４とからなる筐体を有する。ホルダ１００は、上述したのと同様に機能する、歯ブラシ１０のヘッド１２を受け入れるための保持機構２００を有する。ホルダ１００は、スナップ式係合などにより、バックカバー１１４の一部に接続可能な、貯蔵器３１０を備えたディスペンサ３００を含む。ディスペンサ３００は、くぼみ３４０内に含まれる押しボタン３４２と協働するポンプ３１２を含む。押しボタン３４２付きディスペンサ３００は、図７Ｃに関連して上述したのと同様に機能する。
【００９０】
本発明についてその好ましい実施形態を参照しながら図示し、説明したが、添付の特許請求の範囲によって定義される本発明の趣旨および範囲から逸脱することなく、形態および詳細の様々な変更が可能であることが、当業者にはわかるであろう。
【図１Ａ】
2018516607.tif 000003
【図１Ｂ】
2018516607.tif 000004
【図１Ｃ】
2018516607.tif 000005
【図１Ｄ】
2018516607.tif 000006
【図２Ａ】
2018516607.tif 000007
【図２Ｂ】
2018516607.tif 000008
【図２Ｃ】
2018516607.tif 000009
【図２Ｄ】
2018516607.tif 000010
【図２Ｅ】
2018516607.tif 000011
【図３Ａ】
2018516607.tif 000012
【図３Ｂ】
2018516607.tif 000013
【図３Ｃ】
2018516607.tif 000014
【図３Ｄ】
2018516607.tif 000015
【図４Ａ】
2018516607.tif 000016
【図４Ｂ】
2018516607.tif 000017
【図４Ｃ】
2018516607.tif 000018
【図４Ｄ】
2018516607.tif 000019
【図４Ｅ】
2018516607.tif 000020
【図５Ａ】
2018516607.tif 000021
【図５Ｂ】
2018516607.tif 000022
【図５Ｃ】
2018516607.tif 000023
【図５Ｄ】
2018516607.tif 000024
【図５Ｅ】
2018516607.tif 000025
【図５Ｆ】
2018516607.tif 000026
【図５Ｇ】
2018516607.tif 000027
【図６Ａ】
2018516607.tif 000028
【図６Ｂ】
2018516607.tif 000029
【図６Ｃ】
2018516607.tif 000030
【図６Ｄ】
2018516607.tif 000031
【図６Ｅ】
2018516607.tif 000032
【図６Ｆ】
2018516607.tif 000033
【図６Ｇ】
2018516607.tif 000034
【図７Ａ】
2018516607.tif 000035
【図７Ｂ】
2018516607.tif 000036
【図７Ｃ】
2018516607.tif 000037
【図７Ｄ】
2018516607.tif 000038
【図７Ｅ】
2018516607.tif 000039
【図７Ｆ】
2018516607.tif 000040
【図７Ｇ】
2018516607.tif 000041
【図７Ｈ】
2018516607.tif 000042
【図７Ｉ】
2018516607.tif 000043
【図７Ｊ】
2018516607.tif 000044
【図８Ａ】
2018516607.tif 000045
【図８Ｂ】
2018516607.tif 000046
【図８Ｃ】
2018516607.tif 000047
【図８Ｄ】
2018516607.tif 000048
【図９Ａ】
2018516607.tif 000049
【図９Ｂ】
2018516607.tif 000050
【図９Ｃ】
2018516607.tif 000051
【図９Ｄ】
2018516607.tif 000052
【図９Ｅ】
2018516607.tif 000053
【図１０Ａ】
2018516607.tif 000054
【図１０Ｂ】
2018516607.tif 000055
【図１０Ｃ】
2018516607.tif 000056
【図１０Ｄ】
2018516607.tif 000057
【図１０Ｅ】
2018516607.tif 000058
【図１０Ｆ】
2018516607.tif 000059
【図１０Ｇ】
2018516607.tif 000060
【図１１Ａ】
2018516607.tif 000061
【図１１Ｂ】
2018516607.tif 000062
【図１１Ｃ】
2018516607.tif 000063
【図１１Ｄ】
2018516607.tif 000064
【図１１Ｅ】
2018516607.tif 000065
【図１１Ｆ】
2018516607.tif 000066
【図１１Ｇ】
2018516607.tif 000067
【図１２Ａ】
2018516607.tif 000068
【図１２Ｂ】
2018516607.tif 000069
【図１２Ｃ】
2018516607.tif 000070
【図１２Ｄ】
2018516607.tif 000071
【図１２Ｅ】
2018516607.tif 000072
【図１３Ａ】
2018516607.tif 000073
【図１３Ｂ】
2018516607.tif 000074
【図１３Ｃ】
2018516607.tif 000075
【図１３Ｄ】
2018516607.tif 000076
【図１３Ｅ】
2018516607.tif 000077
【図１３Ｆ】
2018516607.tif 000078
【図１４Ａ】
2018516607.tif 000079
【図１４Ｂ】
2018516607.tif 000080
【図１４Ｃ】
2018516607.tif 000081
【図１４Ｄ】
2018516607.tif 000082
【図１４Ｅ】
2018516607.tif 000083
【図１４Ｆ】
2018516607.tif 000084
【図１５Ａ】
2018516607.tif 000085
【図１５Ｂ】
2018516607.tif 000086
【図１６】
2018516607.tif 000087
【図１７】
2018516607.tif 000088
【図１８】
2018516607.tif 000089
【図１９】
2018516607.tif 000090
【図２０】
2018516607.tif 000091
【手続補正書】
【提出日】平成29年6月9日(2017.6.9)
【手続補正１】
【補正対象書類名】明細書
【補正対象項目名】全文
【補正方法】変更
【補正の内容】
【発明の詳細な説明】
【技術分野】
【０００１】
本発明は、歯ブラシの保管および衛生に関し、具体的には、歯ブラシの保管および衛生のための清潔な歯ブラシホルダ装置に関する。
【背景技術】
【０００２】
保管歯ブラシについて衛生的にする必要がある。
【０００３】
当技術分野では、歯ブラシに滅菌液を塗布することが知られている。場合によっては、歯ブラシは滅菌溶液槽に上下逆さまに保管されていた。また他の場合には、歯ブラシは、溶液を歯ブラシのヘッドに噴霧することができる設置器具に設置可能であった。
【０００４】
歯ブラシ筐体の一タイプは、歯ブラシ筐体を壁に取り付けることによって整頓するようなっていた。国際公開特許出願ＷＯ１９９８／０３５，５８５号公報（プールネン）には、ラックを壁に取り付けるためのバックプレートと、歯ブラシヘッドを両側部から係合するためのホルダと、筐体を与えるための外郭との、おおまかに３つの部分を有する歯ブラシラックが記載されている。歯ブラシは、ホルダのフィンガの間で３点保持によってラック内に固定され、バックプレート上に載せることによって回転が防止される。残念ながら、歯ブラシに接触するバックプレートを洗浄のために容易に取り外すことができないため、このようなラックは望ましいほど衛生的ではない。また、軟質材料を内蔵するより新型の歯ブラシ設計は引っかかりやすく、歯ブラシを取り外すためにラックを分解する必要がある。
【０００５】
従来の歯ブラシを消毒溶液に保管するための多くの試みが提案されてきたが、それらは煩わしく、旅行に適さない。歯ブラシに殺菌剤を噴霧するいくつかの試みが提案されている。
【０００６】
米国公開特許出願第２００２／００３１４６１公報（ニップ）は、数本の歯ブラシを、抗菌歯ブラシ噴霧が供給される共通のチャンバ内に保持するための容器を開示している。蓋を押し下げることによってポンプ機構を作動させる。容器の中央支柱内に配置された内部貯蔵器から抗菌／抗ウィルス殺菌液を引き出すためと、歯ブラシのブラシ端部と位置合わせされた小径開口部から殺菌液を噴霧するための、実施可能な開示はなされていない。残念ながら、複数の歯ブラシの共用保管は、歯ブラシ間の二次汚染の機会を増やし、残存感染体の再移入につながる。
【０００７】
米国特許第６，２５３，７７３号（インゲマン）は、処理空間と、処理空間に処理媒体を噴霧する噴霧装置とを備えた携帯型歯科衛生キットを開示している。噴霧装置と処理媒体が噴霧される部分とは互いに分離されているが、噴霧装置とそれらの部分とを囲むホルダ上では互いに噴霧位置関係に配置される。噴霧装置の噴霧ヘッドは、側方ノズルを有する。噴霧を放出するためのトリガ要素としてキャップが設けられる。その取り外し可能キャップが保持装置上の可能な配置位置の１つに置かれると、キャップは噴霧装置が噴霧流を放出する恐れがないようになされ、他の可能な配置位置では、キャプは噴霧流を放出させるようにすることができる。残念ながら、設計通りに取り外すとキャップは容易に落下し、汚染される可能性がある。キャップを紛失すると、このキットは消毒の効果がなくなる。
【０００８】
国際公開特許出願ＷＯ１９９６／０１６，７５０号公報（ヘッカー等）は、歯ブラシの頭部と噴霧缶の頭部とが互いに噴霧位置関係にあるデンタルケアステーションを開示している。２部分からなるケース状の保持装置が設けられる。噴霧缶は、保持装置の一方の部分の受け口内に収まることができ、歯ブラシは保持装置の他方の部分内にある。装置が閉じられると、ガイドレールが歯ブラシを位置決めする。噴霧缶のバルブの噴霧ヘッドは、側方バルブとして設計され、ブラシチャンバ内に収まる。ハウジングの頭部に設けられ、噴霧缶の底部に作用し得る放出ボタンを使用することによって噴霧が放出される。放出ボタンを押すことにより、噴霧を制御された方式でブラシチャンバ内の歯ブラシのブリッスルに向けることができる。残念ながら、不注意で放出ボタンを押すことにより、噴霧流が意図せずに放出される可能性がある。このような危険は、とりわけ手荷物において著しく重要視される。
【０００９】
米国特許第６，０９９，８１３号（ギプソン）は、流体シールによって分離されたブリッスルチャンバとハンドルチャンバとを有する一体型歯ブラシケース受けを開示している。ケースは、エアロゾル噴霧または流体の形態の殺菌剤をブラシ区画またはハンドル区画内に選択的に入れることができる、一方向流動バルブを備えた開口を有する。別個のエアロゾルキャニスタを携帯するのが厄介であると思われるため、この歯ブラシケースは、旅行には適さない。
【発明の概要】
【発明が解決しようとする課題】
【００１０】
出願人は、個別の歯ブラシヘッド筐体を設けることによる歯ブラシの保管が、共用の歯ブラシ筐体よりも好ましいことと、殺菌剤を伴わない歯ブラシの保管は殺菌剤の使用よりも衛生的でないと受け取られることとを見いだした。出願人は、本明細書において、歯ブラシヘッド筐体を使用する個別歯ブラシ保管と、歯ブラシのブリッスルに液体殺菌剤を塗布する塗布装置との組合せを提案する。このようにして、液体殺菌剤塗布が個別保管筐体と連係され、それによって歯ブラシヘッド筐体の必要性と殺菌の必要性とが満たされる。このような連係は、歯ブラシが筐体内に固定された状態で殺菌剤を歯ブラシヘッドのブリッスルに塗布するように塗布装置を構成することによって行うことができる。このような連係は、歯ブラシが筐体から取り外された状態で殺菌剤を歯ブラシヘッドのブリッスルに塗布するように塗布装置を構成することによっても行うことができる。
【００１１】
適合しない従来技術の装置は一般に、歯ブラシを溶液（洗口液、消毒液など）に浸けるための槽を設けることに限定された歯ブラシ保管筐体に関する。これらの装置は、大型であるため使いにくく、運搬中に槽内の溶液がこぼれる恐れがあるために旅行に適さない。いくつかの従来技術の装置は、歯ブラシに殺菌剤を噴霧することに関しているが、殺菌剤を誤って吐出させないようにする保護がないので不都合である。これらの従来技術の装置のほとんどは、処理時に複数の歯ブラシを典型的には固定せずに保持するための比較的大型の共用／家族用の設置具を設け、旅行用の個別ブラシ筐体としては適さない。個別の歯ブラシ用のその他の従来技術の筐体は、コンパクトさがなく、必要な旅行荷物を望ましくないほど増やす様々なキットおよびケースとより多く関係しており、不適当である。
【課題を解決するための手段】
【００１２】
上記の問題のうちの少なくともいくつかの問題に対処するために、提案の歯ブラシ保持方法は、例えば歯ブラシヘッドをヘッドの両側部で把持することによって、歯ブラシヘッドをホルダ筐体に受け入れることを含む。筐体は、殺菌剤（液、ゲル、ペーストなど）の貯蔵器を含む。筐体は、歯ブラシヘッドを保護する一方、少量の殺菌剤をブリッスルに供給することを可能にするように構成される。
【００１３】
従来技術の歯ブラシホルダの欠点のいくつかは、参照により本明細書に組み込まれる国際公開特許出願ＷＯ２０１４／０７８９５３広報（モーフェット等）に記載されている歯ブラシホルダ装置を使用することによって対処される。この歯ブラシホルダ装置は、機能部品として、弾力性クランプを収容する筐体を含む。ハウジングは、歯ブラシ筐体を提供するバックプレートとフロントカバーとを含む。クランプ部は、概ね逆「Ｕ」字型であり、好ましくは、クランプ部にばね特性を与える弾力性材料で作られる。クランプは、クランプ全体が保持器の役割を果たすように、２つのグリッピングアームを互いの方向に向かわせるような形状とされる。好ましくは、クランプが締め付け位置から偏位状態へと広がると、グリッピングアームの先端にある２つのローラが、クランプに挿入された歯ブラシヘッドを係合する。歯ブラシが挿入された状態で、歯ブラシを所定の位置に迅速に保持するように、ローラは歯ブラシのネックに力を加える。このローラの回転係合動作は、ゴム製の側部を備えるヘッドを有する歯ブラシを歯ブラシ筐体内に保持する保持力を与え、歯ブラシホルダを基準にした歯ブラシの一層滑らかな動きを可能にする。クランプには小さいタブを組み込むことができ、これらのタブはバックプレートとともに、歯ブラシが筐体内に挿入されるときに歯ブラシを単一の向きに制限する。
【００１４】
本提案の解決策によると、機能部品として、弾力性クランプと殺菌剤の貯蔵器とを収容する筐体を含む衛生的な携帯型歯ブラシホルダ装置が提供される。歯ブラシホルダは、殺菌剤が歯ブラシヘッドに向かって制御可能に供給される供給口に対向する位置関係に歯ブラシヘッドを保持するように構成される。一部の実施形態では、装置は、噴霧動作により殺菌剤を供給するように構成され、その場合、供給口はノズルを含み得る。好ましくは、殺菌剤は歯ブラシのブリッスルに噴霧することができる。他の実施形態では、殺菌剤は供給口からメニスカスを形成するゲルまたはペーストの小球として供給される。歯ブラシのブリッスルは、歯ブラシがクランプ内に保持されると、例えばブリッスル管作用により殺菌剤を引き上げる位置に配置される。
【００１５】
提案の解決策によると、歯ブラシホルダは、殺菌剤の制御された供給を行わせる放出手段を含む。一部の実施形態では、放出手段は、例えば、貯蔵器が一定量の殺菌剤を供給するようにするボタンを含む、放出トリガを含む。他の実施形態では、放出手段は、貯蔵器が一定量の殺菌剤を供給するように筐体を変形させることを含む。さらに他の実装形態では、放出手段は、一定量の殺菌剤を供給するように貯蔵器を変形することを含む。さらに他の実装形態では、放出手段は貯蔵器が一定量の殺菌剤を供給するようにクランプを変形させることを含む。さらに他の実装形態では、放出手段は、一定量の殺菌剤を供給するように貯蔵器を変形させるように構成されたラチェット手段を含む。一部の実装形態では、ラチェット手段は、歯ブラシヘッドを歯ブラシホルダに挿入することによって作動するラチェットを含む。他の実装形態では、ラチェット手段は、歯ブラシヘッドを歯ブラシホルダに挿入することによって作動するラチェット歯車を有するローラを少なくとも含む。
【００１６】
本提案の解決策の一部の実施形態によると、個別の歯ブラシを保持するための歯ブラシホルダであって、ブリッスルが異物に接触しないように保護するための歯ブラシヘッド筐体であって歯ブラシのハンドルを露出させた状態で歯ブラシのヘッドを受け入れるような寸法とされた筐体と、ヘッドを固定して受け入れるとともに、ヘッドの解放を可能にするために筐体内に収容されたクリップ機構と、殺菌剤をヘッドのブリッスルに供給するために筐体に接続されたディスペンサとを含む、歯ブラシホルダが提供される。
【００１７】
本提案の解決策の一部の実施形態によると、ブリッスルが異物に接触しないように保護するための歯ブラシヘッド筐体であって歯ブラシのハンドルを露出させた状態で歯ブラシのヘッドを受け入れるような寸法とされた筐体と、歯ブラシヘッドのブリッスルに殺菌剤を供給するためのディスペンサとを含む、歯ブラシヘッドホルダを含むキットが提供される。したがって、ディスペンサは、筐体とは別個の構成要素であるかまたは一体となっており、ブリッスルに適切な薬剤を供給することと、ホルダを使用して歯ブラシヘッドを保護することの二重の機能を提供することが企図される。
【００１８】
本発明を限定することなく、本提案の解決策の一部の実施形態による歯ブラシを歯ブラシホルダ装置内に保持するための上記の係合機構は、例えば、ローラを有する歯ブラシホルダクリップとゴム引き歯ブラシヘッド側部を有する歯ブラシとの間の改良された保持力と、衛生とに由来する相乗的利点を提供する。
【００１９】
本提案の解決策は、添付図面を参照しながら本発明の以下の詳細な説明を読めば、よりよく理解することができる。
【図面の簡単な説明】
【００２０】
【図１Ａ】本提案の解決策の第１の実施形態による、歯ブラシホルダ筐体の上面図を示す概略図である。
【図１Ｂ】本提案の解決策の第１の実施形態による、歯ブラシホルダ筐体の前面図を示す概略図である。
【図１Ｃ】本提案の解決策の第１の実施形態による歯ブラシホルダ筐体の右側面図を示す概略図である。
【図１Ｄ】本提案の解決策の第１の実施形態による歯ブラシホルダ筐体の斜視図を示す概略図である。
【図２Ａ】本提案の解決策の歯ブラシホルダ筐体の第１の実施形態の第１の実装形態によるバックプレートの上面図を示す概略図である。
【図２Ｂ】本提案の解決策の歯ブラシホルダ筐体の第１の実施形態の第１の実装形態によるバックプレートの前面図を示す概略図である。
【図２Ｃ】本提案の解決策の歯ブラシホルダ筐体の第１の実施形態の第１の実装形態によるバックプレートの右側面図を示す概略図である。
【図２Ｄ】本提案の解決策の歯ブラシ１５ホルダ筐体の第１の実施形態の第１の実装形態によるバックプレートの背面図を示す概略図である。
【図２Ｅ】本提案の解決策の歯ブラシホルダ筐体の第１の実施形態の第１の実装形態によるバックプレートの斜視図を示す概略図である。
【図３Ａ】本提案の解決策の歯ブラシホルダ筐体の第１の実施形態の第２の実装形態による別のバックプレートの前面図を示す概略図である。
【図３Ｂ】本提案の解決策の歯ブラシホルダ筐体の第１の実施形態の第２の実装形態によるバックプレートの底面図を示す概略図である。
【図３Ｃ】本提案の解決策の歯ブラシホルダ筐体の第１の実施形態の第２の実装形態によるバックプレートの底面斜視図を示す概略図である。
【図３Ｄ】本提案の解決策の歯ブラシホルダ筐体の第１の実施形態の第２の実装形態によるバックプレートの上面斜視図を示す概略図である。
【図４Ａ】本提案の解決策の歯ブラシホルダの第１の実施形態の第２の実装形態による、バックプレートと歯ブラシグリップ要素との組合せの前面図を示す概略図である。
【図４Ｂ】本提案の解決策の歯ブラシホルダの第１の実施形態の第２の実装形態による、バックプレートと歯ブラシグリップ要素との組合せの底面図を示す概略図である。
【図４Ｃ】本提案の解決策の歯ブラシホルダの第１の実施形態の第２の実装形態による、バックプレートと歯ブラシグリップ要素との組合せの右側面図を示す概略図である。
【図４Ｄ】本提案の解決策の歯ブラシホルダの第１の実施形態の第２の実装形態による、バックプレートと歯ブラシグリップ要素との組合せの底面斜視図を示す概略図である。
【図４Ｅ】本提案の解決策の歯ブラシホルダの第１の実施形態の第２の実装形態による、バックプレートと歯ブラシグリップ要素との組合せの上面斜視図を示す概略図である。
【図５Ａ】本提案の解決策の第１の実装形態による、歯ブラシグリップ要素の上面図を示す概略図である。
【図５Ｂ】本提案の解決策の第１の実装形態による、歯ブラシグリップ要素の前面図を示す概略図である。
【図５Ｃ】本提案の解決策の第１の実装形態による、歯ブラシグリップ要素の底面図を示す概略図である。
【図５Ｄ】本提案の解決策の第１の実装形態による、歯ブラシグリップ要素の右側面図を示す概略図である。
【図５Ｅ】本提案の解決策の第１の実装形態による、歯ブラシグリップ要素の背面図を示す概略図である。
【図５Ｆ】本提案の解決策の第１の実装形態による、歯ブラシグリップ要素の底面斜視図を示す概略図である。
【図５Ｇ】本提案の解決策の第１の実装形態による、クリップ歯ブラシグリップ要素の上面斜視図を示す概略図である。
【図６Ａ】本提案の解決策の第２の実装形態による、歯ブラシグリップ要素の上面図を示す概略図である。
【図６Ｂ】本提案の解決策の第２の実装形態による、歯ブラシグリップ要素の前面図を示す概略図である。
【図６Ｃ】本提案の解決策の第２の実装形態による、歯ブラシグリップ要素の底面図を示す概略図である。
【図６Ｄ】本提案の解決策の第２の実装形態による、歯ブラシグリップ要素の右側面図を示す概略図である。
【図６Ｅ】本提案の解決策の第２の実装形態による、歯ブラシグリップ要素の上面斜視図を示す概略図である。
【図６Ｆ】本提案の解決策の第２の実装形態による、歯ブラシグリップ要素の底面斜視図を示す概略図である。
【図６Ｇ】本提案の解決策の第２の実装形態による、歯ブラシグリップ要素の別の底面斜視図を示す概略図である。
【図７Ａ】本提案の解決策の一実装形態による、殺菌歯ブラシホルダの斜視透視図を示す概略図である。
【図７Ｂ】本提案の解決策の一実施形態による、殺菌歯ブラシホルダの斜視分解図を示す概略図である。
【図７Ｃ】本提案の解決策の別の実装形態による、殺菌剤ディスペンサカートリッジを装填するために開いた殺菌歯ブラシホルダの斜視図を示す概略図である。
【図７Ｄ】図７Ｃに示す本提案の解決策の実装形態による、殺菌剤ディスペンサカートリッジを有する殺菌歯ブラシホルダの分解図を（歯ブラシとの関連で）示す概略図である。
【図７Ｅ】図７Ｃに示す本提案の解決策の実装形態による、フロントカバーなしの殺菌歯ブラシホルダの斜視図を示す概略図である。
【図７Ｆ】図７Ｃ、図７Ｄおよび図７Ｅに示す本提案の解決策の実装形態による、フロントカバーなしの殺菌歯ブラシホルダの上面図および右側面図をそれぞれ示す概略図である。
【図７Ｇ】図７Ｃ、図７Ｄおよび図７Ｅに示す本提案の解決策の実装形態による、フロントカバーなしの殺菌歯ブラシホルダの上面図および右側面図をそれぞれ示す概略図である。
【図７Ｈ】図７Ｃ、図７Ｄ、図７Ｅ、図７Ｆおよび図７Ｇに示す本提案の解決策の実装形態による、組み立て済み殺菌歯ブラシホルダの上面図を示す概略図である。
【図７Ｉ】図７Ｃ、図７Ｄ、図７Ｅ、図７Ｆ、図７Ｇおよび図７Ｈに示す本提案の解決策の実装形態による、図７Ｉにおける通常位置と図７Ｊにおける作動位置との間の動作状態の殺菌歯ブラシホルダの右側面図を示す概略図である。
【図７Ｊ】図７Ｃ、図７Ｄ、図７Ｅ、図７Ｆ、図７Ｇおよび図７Ｈに示す本提案の解決策の実装形態による、図７Ｉにおける通常位置と図７Ｊにおける作動位置との間の動作状態の殺菌歯ブラシホルダの右側面図を示す概略図である。
【図８Ａ】本提案の解決策の歯ブラシホルダ筐体の第１の実施形態による、フロントカバーの上面図を示す概略図である。
【図８Ｂ】本提案の解決策の歯ブラシホルダ筐体の第１の実施形態による、フロントカバーの前面図を示す概略図である。
【図８Ｃ】本提案の解決策の歯ブラシホルダ筐体の第１の実施形態による、フロントカバーの右側面図を示す概略図である。
【図８Ｄ】本提案の解決策の歯ブラシホルダ筐体の第１の実施形態による、フロントカバーの背面図を示す概略図である。
【図９Ａ】本提案の解決策の歯ブラシホルダ筐体の第１の実施形態による、フロントカバー窓の上面図を示す概略図である。
【図９Ｂ】本提案の解決策の歯ブラシホルダ筐体の第１の実施形態による、フロントカバー窓の前面図を示す概略図である。
【図９Ｃ】本提案の解決策の歯ブラシホルダ筐体の第１の実施形態による、フロントカバー窓の左側面図を示す概略図である。
【図９Ｄ】本提案の解決策の歯ブラシホルダ筐体の第１の実施形態による、フロントカバー窓の背面図を示す概略図である。
【図９Ｅ】本提案の解決策の歯ブラシホルダ筐体の第１の実施形態による、フロントカバー窓の斜視図を示す概略図である。
【図１０Ａ】本提案の解決策の歯ブラシホルダ筐体の第１の実施形態の第４の実装形態による、別のバックプレートの前面図を示す概略図である。
【図１０Ｂ】本提案の解決策の歯ブラシホルダ筐体の第１の実施形態の第４の実装形態による、バックプレートの背面図を示す概略図である。
【図１０Ｃ】本提案の解決策の歯ブラシホルダ筐体の第１の実施形態の第４の実装形態による、バックプレートの上面図を示す概略図である。
【図１０Ｄ】本提案の解決策の歯ブラシホルダ筐体の第１の実施形態の第４の実装形態による、バックプレートの底面図を示す概略図である。
【図１０Ｅ】本提案の解決策の歯ブラシホルダ筐体の第１の実施形態の第４の実装形態による、バックプレートの右側面図を示す概略図である。
【図１０Ｆ】本提案の解決策の歯ブラシホルダ筐体の第１の実施形態の第４の実装形態による、バックプレートの斜視図を示す概略図である。
【図１０Ｇ】本提案の解決策の歯ブラシホルダ筐体の第１の実施形態の第４の実装形態による、バックプレートの底面斜視図を示す概略図である。
【図１１Ａ】本提案の解決策の第１の実施形態の第４の実装形態による、歯ブラシグリップ要素の前面図を示す概略図である。
【図１１Ｂ】本提案の解決策の第１の実施形態の第４の実装形態による、歯ブラシグリップ要素の背面図を示す概略図である。
【図１１Ｃ】本提案の解決策の第１の実施形態の第４の実装形態による、歯ブラシグリップ要素の上面図を示す概略図である。
【図１１Ｄ】本提案の解決策の第１の実施形態の第４の実装形態による、歯ブラシグリップ要素の底面図を示す概略図である。
【図１１Ｅ】本提案の解決策の第１の実施形態の第４の実装形態による、歯ブラシグリップ要素の右側面図を示す概略図である。
【図１１Ｆ】本提案の解決策の第１の実施形態の第４の実装形態による、歯ブラシグリップ要素の底面斜視図を示す概略図である。
【図１１Ｇ】本提案の解決策の第１の実施形態の第４の実装形態による、クリップ歯ブラシグリップ要素の上面斜視図を示す概略図である。
【図１２Ａ】本提案の解決策の歯ブラシホルダの第１の実施形態の第４の実装形態による、バックプレートと歯ブラシグリップ要素との組合せの前面図を示す概略図である。
【図１２Ｂ】本提案の解決策の歯ブラシホルダの第１の実施形態の第４の実装形態による、バックプレートと歯ブラシグリップ要素との組合せの底面図を示す概略図である。
【図１２Ｃ】本提案の解決策の歯ブラシホルダの第１の実施形態の第４の実装形態による、バックプレートと歯ブラシグリップ要素との組合せの右側面図を示す概略図である。
【図１２Ｄ】本提案の解決策の歯ブラシホルダの第１の実施形態の第４の実装形態による、バックプレートと歯ブラシグリップ要素との組合せの上面斜視図を示す概略図である。
【図１２Ｅ】本提案の解決策の歯ブラシホルダの第１の実施形態の第４の実装形態による、バックプレートと歯ブラシグリップ要素との組合せの底面斜視図を示す概略図である。
【図１３Ａ】本提案の解決策の歯ブラシホルダ筐体の第１の実施形態の第４の実装形態による、フロントカバーの前面図を示す概略図である。
【図１３Ｂ】本提案の解決策の歯ブラシホルダ筐体の第１の実施形態の第４の実装形態による、フロントカバーの背面図を示す概略図である。
【図１３Ｃ】本提案の解決策の歯ブラシホルダ筐体の第１の実施形態の第４の実装形態による、フロントカバーの上面図を示す概略図である。
【図１３Ｄ】本提案の解決策の歯ブラシホルダ筐体の第１の実施形態の第４の実装形態による、フロントカバーの右側面図を示す概略図である。
【図１３Ｅ】本提案の解決策の歯ブラシホルダ筐体の第１の実施形態の第４の実装形態による、フロントカバーの底面斜視図を示す概略図である。
【図１３Ｆ】本提案の解決策の歯ブラシホルダ筐体の第１の実施形態の第４の実装形態による、フロントカバーの上面斜視図を示す概略図である。
【図１４Ａ】本提案の解決策の歯ブラシホルダ筐体の第１の実施形態の第４の実装形態による、フロントカバー窓の前面図を示す概略図である。
【図１４Ｂ】本提案の解決策の歯ブラシホルダ筐体の第１の実施形態の第４の実装形態による、フロントカバー窓の背面図を示す概略図である。
【図１４Ｃ】本提案の解決策の歯ブラシホルダ筐体の第１の実施形態の第４の実装形態による、フロントカバー窓の上面図を示す概略図である。
【図１４Ｄ】本提案の解決策の歯ブラシホルダ筐体の第１の実施形態の第４の実装形態による、フロントカバー窓の右側面図を示す概略図である。
【図１４Ｅ】本提案の解決策の歯ブラシホルダ筐体の第１の実施形態の第４の実装形態による、フロントカバー窓の底面斜視図を示す概略図である。
【図１４Ｆ】本提案の解決策の歯ブラシホルダ筐体の第１の実施形態の第４の実装形態による、フロントカバー窓の上面斜視図を示す概略図である。
【図１５Ａ】歯ブラシヘッドを受け入れるための筐体を有し、歯ブラシが筐体から取り外される間に歯ブラシのブリッスルに流体を供給するための組み込み殺菌流体ディスペンサを有する、歯ブラシホルダの前面図を示す図である。
【図１５Ｂ】１５Ａに対応する側面図を示す図である。
【図１６】本提案の解決策の一実装形態による、殺菌歯ブラシホルダを示す分解斜視図である。
【図１７】図１６に示す本提案の解決策の実装形態による、組み立て済み殺菌歯ブラシホルダを示す斜視図である。
【図１８】図１６に示す殺菌歯ブラシホルダのバックカバーを示す斜視図である。
【図１９】図１６に示す殺菌歯ブラシホルダの貯蔵器を示す斜視図である。
【図２０】図１９に示す貯蔵器の側断面図である。
【発明を実施するための形態】
【００２１】
図面全体を通して同様の特徴は同様の符号が付されている。本明細書における「上部」および「底部」など（ただし、これらには限定されない）の位置限定詞への言及は、本願で提示される図面の向きのみを基準にして行っており、いかなる絶対的な空間的向きも暗黙的に示すものではない。
【００２２】
工場から出荷されたばかりの歯ブラシを最初に使用するとき、歯ブラシは清潔で安全に使用できるという快適感を与える。一旦使用すると、歯ブラシは口腔細菌および口腔内に存在するその他の細菌と接触している。歯ブラシをすすぐと多少の衛生感を与えるが、露出した歯ブラシヘッドのブリッスルが口腔からの残留バクテリアまたは細菌を含んでいる可能性があり、空中細菌も付着させる可能性があるという消えない感覚がある。
【００２３】
歯ブラシの保管において快適感と安心感をユーザに与えることとしては、（１）ブリッスルを空中汚染物質にさらさず、ブリッスルを他の物体に物理的に接触させないように保護して歯ブラシを保管する方法を提供することと、（２）ブリッスルの表面に残留細菌または新たに侵入する細菌が存在し、増殖している可能性があるという印象を防ぐために、殺菌剤の塗布によってブリッスルを殺菌することとがある。この２つの要素の組合せは、ほとんどのユーザにとって、歯ブラシを使用するたびに歯ブラシが工場から出荷されたばかりの歯ブラシと同様であると安心させるのに十分である。ユーザはさらに、殺菌剤からブリッスルに与えられるフレーバにより殺菌剤の使用を知ることによって快適さを感じることができる。このようなフレーバは、練り歯磨きにフレーバがあればそれに追加されるが、気づかせることができる。例えば、多くの洗口液に付随するフレーバは、練り歯磨きから明確に区別することができる。タイム、クローブ、レモン、オレガノ、バジル、シナモン、ローズマリーなどの精油など、自然の抗菌性オイルは、ミントなどの典型的な練り歯磨きフレーバとは異なる心地よいフレーバを有するであろう。
【００２４】
これは、最低限の基礎構造で達成することができ、かなりコンパクトとすることができる。ブリッスルは、筐体によって空中汚染物質から保護することができる。歯ブラシハンドルは、典型的にはなめらかな表面が付着させる汚染物質がブリッスルよりも少ないため、保護する必要がない。以下で説明する一部の実施形態では、ねじり動作または位置合わせ不良動作のためにブリッスルを筐体に接触させることなく、歯ブラシ本体のヘッドとネックとを筐体内に安全に導くために、凹面形状のローラが使用される。このような場合、ホルダはほとんどの一般的な市販の歯ブラシヘッドに対応する。当然ながら、ヘッドを挿入および取り外しするときにブリッスルがホルダと物理的に接触するリスクを限定的にした保管を実現するために、歯ブラシヘッドを特定のホルダ設計とともに使用するように適合化させることもできる。
【００２５】
これらの２つの要素の組み合わせが効果的であるように、好ましくは筐体がブリッスルと物理的に接触する可能性がほとんどないようにして歯ブラシヘッドを出し入れすることができさえすれば、筐体の外部においても、殺菌剤のアプリケータを使用してブリッスルに液体を塗布することができる。あるいは、保管のために挿入した後で殺菌液を塗布することができるように、アプリケータは筐体の内部にあってもよい。
【００２６】
図１Ａ、図１Ｂ、図１Ｃおよび図１Ｄに、本提案の解決策の一実施形態による歯ブラシホルダ１００を示す。図７Ｄを参照すると、ヘッド１２と、ヘッド１２から延びるブリッスル１４と、ハンドル１６と、ヘッド１２とハンドル１６の間のネック１８とを有する個別の歯ブラシ１０の一例も示されている。
【００２７】
本提案の解決策のこの実施形態では、歯ブラシホルダ１００は、大まかに、歯ブラシホルダ筐体１１０またはハウジングと、クランプ部材２００などの歯ブラシ保持機構と、殺菌剤用貯蔵器３００とを含む。ハウジング１１０は、歯ブラシホルダに挿入された歯ブラシ１０を保護するように構成される。好ましくは、ハウジング１１０は防滴筐体である。筐体１１０の底部には、歯ブラシを通すための開口部１０２が設けられる。例示の実施形態では、ヘッド１２は、歯ブラシ１０の長手方向軸に沿って開口部１０２を通して筐体１１０内に取り外し可能に挿入可能である。
【００２８】
第１の実装形態によると、歯ブラシホルダ筐体１１０は、フロントカバー１２とバックカバー（必ずしもプレートではない）１１４とを含む。フロントカバー１１２がバックカバー１１４と嵌め合わさる構成において、図１Ｂに筐体１１０のフロントカバー１１２を示し、図１Ａ、図１Ｃおよび図１Ｄに、フロントカバー１１２とバックカバー１１４の両方を示す。例えば、図３Ａ、３Ｂ、図３Ｃおよび図３Ｄを参照すると、フロントカバー１１２とバックカバー１１４とはスナップ式に互いに嵌め合わさるように、または摺動式に互いに係合するように構成される。ただし、使い捨て構成の場合は、フロントカバー１１２とバックカバー１１４とは接着されてもよい。好ましくは、例えば、食洗機またはフロントカバー１１２の製造材料と適合するその他の任意の適切な殺菌手段によって洗浄するために、フロントカバー１１２は取り外し可能である。本発明を限定することなく、図１Ａおよび図１Ｄに示す壁取付け構成の場合、フロントカバー１１２はさらに、例えば飛沫を防ぐために、バックプレート１１４を可能な限り露出させないように構成される。フロントカバー１２の底部は、筐体開口部１０２の画定の一部をなすことができる。本発明を限定することなく、図１Ｃに、垂直線に対して角度１１６をなして嵌め合うフロントカバー１１２とバックプレート１１４とを示す。この第１の実施形態では、バックプレート１１４は概ね楔形を有する。この第１の実施形態のフロントカバー１１２のその他の詳細については、図８Ａ、図８Ｂ、図８Ｃ、図８Ｄ、図９Ａ、図９Ｂ、図９Ｃ、図９Ｄおよび図９Ｅを参照しながら以下で詳細に説明する。明確化のために付言すると、本発明は対称形の歯ブラシホルダ筐体１１０には限定されない。対称形歯ブラシホルダ筐体１１０の実装形態は、本明細書における説明を容易にするための例示に過ぎない。非対称形の歯ブラシホルダ筐体１１０を図７Ａおよび図７Ｂに示す。
【００２９】
バックプレート１１４に戻ると、図２Ａ、図２Ｂ、図２Ｃ、図２Ｄおよび図２Ｅに、本提案の解決策の実施形態の第１の実装形態によるバックプレート１１４を示す。バックプレート１１４は、平坦な中央部１１８を含む概ね平坦な形状を有する。バックプレート１１４は、ほぼ垂直の壁に、好ましくは１５半永久的に接着剤によりタイルに、またはネジなどで（図１０Ａ、図１０Ｂ、図１０Ｆおよび図１０Ｇを参照すると、図示されてない留め具を使用して木材に）永久的に取り付けられるように構成される。使い捨て歯ブラシホルダ１００は、吸盤留め具を採用することができる。本発明を限定することなく、図２Ｄに、平坦な中央部１１８における、接着剤または両面テープを付けることができる長円形の中央領域を示す。
【００３０】
第１の実施形態の本実装形態のバックプレート１１４は、フロントカバー１１２とのスナップ式嵌め合わせを行う際に一部が使用される周辺縁端部１２１を有し、フロントカバー１１２はバックカバーの長円形の周辺縁端部の周囲に延びるように構成されたスナップタブを有し、バックプレート１１４の露出を図１Ａ、図１Ｃおよび図１Ｄに示すよりもさらに減少させる（図示せず）。別の実装形態によると、スナップタブは、フロントカバー１１２とバックカバー１１４との間、例えば図７Ｉの非作動位置と図７Ｊの作動位置との間の制限された摺動式係合を可能にする。本提案の解決策の一部の使い捨て実装形態の場合、フロントカバー１１２は、バックプレート１１４の長円形の周縁１２１の周りに接着することができる。バックプレート１１４の周辺縁端部１２１の底部は、筐体開口部１０２の画定の一部をなすことができる。
【００３１】
本発明は、不連続な周辺縁端部１２１には限定されず、図３Ａ、図３Ｃおよび図３Ｄに、全体的に卵形の周辺縁端部１２１を示す。
【００３２】
バックプレート１１４は、歯ブラシホルダ１００の歯ブラシグリップ要素（２００）を係合するようにさらに構成される。本提案の解決策の第１の実施形態の一実装形態によると、図のように歯ブラシホルダ筐体１１０を基準にして前方に、バックプレート１１４から離れる方向に延びる一対のほぼ水平な支持（下部）タブ２６０が、殺菌剤ディスペンサ（３００）と歯ブラシグリップ要素２００とのうちの少なくとも一方を載せるように設けられる。本発明は、一対の支持タブ２６０、水平支持タブ２６０、または下部支持タブ２６０の前方への延伸には限定されない。例えば、一対の対称支持タブ２６０は説明を簡単にするための例示に過ぎず、歯ブラシグリップ要素２００を参照しながら後述するように単一のタブ２６０で十分な場合もある。または、１つまたは複数のタブ２６０が図面の向きを基準にして側方に延びていてもよい（図示せず）。バックプレート１１４は、例えば歯ブラシホルダ１００を、バックプレート１１４を取り付ける壁に対して角度１１６をなして壁に取り付けるために、図２Ｃに示すように、横から見たときに、バックプレート１１４の周辺縁端部１２１をバックプレート１１４の中央部１１８に対して角度１１６をなして向ける楔形状（１６６）を有することができる。したがって、支持タブ２６０は壁に対してほぼ直角、またはバックプレート１１４の周辺嵌め合い縁端部１２１の面に対してほぼ直角とすることができる。明確化のために付言すると、バックプレート１１４の周辺嵌め合い縁端部１２１は、一平面内にある必要はなく、支持タブ２６０は壁に向かって角度をなしてもよく、または一方の側に角度をなしていてもよい。
【００３３】
本提案の解決策の第１の実施形態の第２の実装形態により、図３Ａ、図３Ｂ、図３Ｃおよび図３Ｄに、フロントカバー１１２をスナップ式嵌め合いまたは摺動式係合で係合させるためのスナップタブ２７０を含むバックプレート１１４と、歯ブラシグリップ要素２００を係合させるための異なる構成とを示す。
【００３４】
第１の実施形態の第２の実装形態では、フロントカバー１１２とバックプレート１１４とのスナップ式嵌め合いおよび／または制限的摺動係合が、必ずしも連続的ではなく概ねバックプレート１１４の周辺縁端部１２１の周りにバックプレート１１４から前方に延びる短壁２７２によってもたらされる。この第２の実装形態では、壁２７２は、改良されたスナップ式嵌め合いおよび／または摺動式係合を可能にし、例えば適合するポリマーなどの弾力性材料から製造することができる。壁２７２は、壁２７２の非屈曲部２７２と短壁２７２に設けられた屈曲スナップタブ２７０との間の切り欠き２７４（例えば図１０Ｅ、図１０Ｆおよび図１０Ｇに示す）により不連続とすることができる。スナップタブ２７０は、フロントカバー１１２をバックカバー１１４とのスナップ式係合状態に保持するため、または、フロントカバー１１２とバックカバー１１４との間の摺動式係合を制限するために、フロントカバー１１２を係合するためのフック要素を含むことができる。
【００３５】
なお、歯ブラシは、歯ブラシがグリップ要素２００によって保持された状態で筐体開口部１０２を通して挿入される。すべての実施形態で必ずしも必要というわけではないが、筐体開口部１０２とグリップ要素２００との間の何らかの形態の位置合わせが有利な場合がある。第１の実施形態の第２の実装形態によると、歯ブラシグリップ要素２００と殺菌剤ディスペンサ３００とのために支持および位置合わせ（２６０）が提供される。一対の支持タブ２６０が設けられるが、図１０Ａおよび図１２Ａに示す支持タブ２６０は互いに（互いに向かって、互いから離れて、斜めになど）角度をなすことができることに留意されたい。本発明を限定することなく、支持タブ２６０のうちの少なくとも１つの配向角は、グリップ要素２００がグリップ構成に戻るための手段を提供することができ、歯ブラシの把持力を強化し、グリップ要素２００の位置合わせ、またはこれらの任意の組み合わせを行うための手段を提供することができる。本発明を限定することなく、支持タブ２６０のうちの少なくとも１つの配向角は、グリップ要素２００と歯ブラシホルダ筐体１１０とのうちの少なくとも一方を基準にして殺菌剤供給口３３２の位置合わせを可能にする。
【００３６】
別の支持タブ、例えば図の上部支持タブ２８０を、例えばバックプレート１１４のほぼ頂点に設けることができ、グリップ要素をさらに支持、および／または、位置合わせするように構成することができる。本発明を限定することなく、位置合わせは、バックプレート１１４を基準にして傾けられる上部タブ２８０によって、および/または、スリット２８２内に延びる適切に構成されたグリップ要素２００、例えばスリット２８２内に延びるグリップ要素２００上の突起２８４のための、その中の（一対のタブ２８０の間の）スリット２８２によって行うことができる。明確化のために付言すると、支持タブ２８０の対称性は例示に過ぎず、本発明の必要条件ではない。
【００３７】
必須ではないが、左右のスナップタブ２７０が短壁２７２を越えて外に伸び、下部支持タブ２６０の周囲に位置するように図示され、例えば、下部支持タブ２６０の強度を強化し、および／または、歯ブラシグリップ要素２００および／または殺菌剤ディスペンサ３００の側方位置合わせをさらにもたらす。
【００３８】
別の任意選択のクラウンタブ２９０が示されている。クラウンタブ２９０は、単独で、または歯ブラシホルダ筐体１１０と組み合わさって、歯ブラシが歯ブラシホルダ１００に挿入される間に対抗力を与える。クラウンタブ２９０は、スナップタブ２７０の構成においても用いられる材料偏位に対抗することもできる。クラウンタブ２９０が存在しない場合、フロントカバー１１２または短壁２７２が、歯ブラシが歯ブラシホルダ１００に挿入される間の対抗力を与える。明確化のために付言すると、クラウンタブ２９０はクラウン形状である必要はない。
【００３９】
本提案２０の解決策の第１の実施形態の第２の実装形態により、図４Ａ、図４Ｂ、図４Ｃ、図４Ｄおよび図４Ｅに、バックプレート１１４と、歯ブラシグリップ要素２００と、殺菌剤ディスペンサ３００との組み合わせを示す。グリップ要素２００は、例えば、下部支持タブ２６０と、上部支持タブ２８０と、任意選択によりクラウンタブ２９０とを少なくとも介して、バックプレート１１４と協働する。グリップ要素タブ２１０が、バックプレート１１４の下部支持タブ２６０上に載ることができる。図のグリップ要素２００は、上部支持タブ２８０の間のスリット２８２と協働するガイド２８４を含むが、本発明はこれに限定されない。本明細書で「カバー本体」と言うとき、歯ブラシホルダ筐体１１０全体を含むことを意図している。
【００４０】
歯ブラシグリップ要素２００は、歯ブラシ、好ましくは歯ブラシヘッドを締め付けることによって、歯ブラシを機械式に係合するように構成される。この組み合わせの１つの使用法によると、上部支持タブ２８０（および、あればクラウンタブ２９０）が、例えばスナップフックまたは別個の機構を介してグリップ要素２００を確実に係合し、歯ブラシがクラウンタブ２９０および／または壁２７２（いずれか存在する方）に接してグリップ要素２００内に挿入され、支持タブ２８０／２６０の少なくともいずれか一つに接してグリップ要素２００から引き抜かれる。この組み合わせの別の使用方法によると、上部支持タブ２８０は、グリップ要素２００がその上で図の向きを基準にして横方向に摺動される側方フック（図示せず）として機能する。
【００４１】
明確化のために付言すると、歯ブラシグリップ要素２００は、歯ブラシ、好ましくは歯ブラシヘッドを係合し、例えば（一般的な）衛生目的のために筐体から取り外し可能である。明確化のために付言すると、本発明は取り外し可能歯ブラシグリップ要素２００の採用には限定されず、使い捨て歯ブラシホルダ１００では、歯ブラシグリップ要素２００は取り外し可能でなくてもよい。使い捨て歯ブラシホルダ１００は、ホテル産業、不可抗力、緊急対応、伝染病対応、または病院内または高齢者介護／家庭環境で使用してもよい。
【００４２】
図４Ｃに、グリップ要素２００と組み合わさったバックプレート１１４の傾斜部（１１６）を最もよく示す。バックプレート１１４の傾斜部（１１６）は、挿入されるときに壁に向かって曲がるハンドルを有する歯ブラシを考慮に入れることができ、歯ブラシハンドルが（歯ブラシグリップ要素２００と）歯ブラシホルダ１００全体を壁から離れさせるのを防ぐ。破線の四角形／楕円形は、殺菌剤ディスペンサ３００が占める大まかな空間を表す。
【００４３】
フロントカバー１１２とバックプレート１１４とグリップ要素２００との組み合わせは、歯ブラシの移動経路を筐体開口部１０２と実質的に位置合わせするとともに、歯ブラシのブリッスルを、貯蔵器３１０から殺菌剤が供給される殺菌剤供給開口部３２２と位置合わせするように構成される。図４Ｂに、筐体開口部と位置合わせされたグリップ要素２００の端部２０４を最もよく示す。
【００４４】
図７Ａから図７Ｊに、本明細書で後述する側方構成を有する殺菌歯ブラシホルダ１００を示す。
【００４５】
クリップ
図５Ａ、図５Ｂ、図５Ｃ、図５Ｄ、図５Ｅ、図５Ｆおよび図５Ｇに、本提案の解決策の第１の実施形態による歯ブラシグリップ要素２００の第１の実装形態を示す。
【００４６】
歯ブラシグリップ要素２００は、クリップ（２００）と、任意選択により、例えば上述のような位置合わせ要素（２１０）２８４とを含む。明確化のために付言すると、この突起２８４は、一部の実施態様においてのみ存在する。上述のように、突起２８４の存在は必要条件を意味しない。なお、説明において「クリップ」と言うときは歯ブラシグリップ要素２００も含む。
【００４７】
クリップ２００は、互いに向かって付勢され、少なくとも歯ブラシヘッドと係合（および保持）するように協働する２つの対向するグリップ部材２０２を含む。クリップ２００は、歯ブラシを歯ブラシホルダ１００に保持するために、歯ブラシヘッドと歯ブラシネックのうちの少なくとも一方を把持するように構成される。グリップ部材２０２は、互いに対して付勢させることができ、弾力性材料、例えば、ポリマーに限定されない弾性材料から製造される。金属クリップ２００も必要な弾性把持力を与え得る。製造の観点からは、ポリマーをクリップ２００の形状に射出成形することができる。本発明は、製造技術には限定されない。
【００４８】
グリップ部材２０２は、歯ブラシのヘッド部への挿入によって、およびその逆にヘッド部からの取り出しによって分離される。
【００４９】
一部の実施形態では、歯ブラシは重力の垂直力に逆らって歯ブラシホルダ内に保持される。他の実施形態では、歯ブラシヘッドは、歯ブラシ筐体１１０から離隔（離れて）歯ブラシホルダ１００内に保持される。好ましくは、歯ブラシ全体と歯ブラシホルダ１００全体との間の係合領域は最小限にされる。好ましくは、係合は、グリップ部材２０２の端部２０４に縮小される。
【００５０】
図４Ａ、図４Ｂ、図４Ｃ、図４Ｄ、図４Ｅ、図５Ａ、図５Ｂ、図５Ｃ、図５Ｄ、図５Ｅ、図５Ｆおよび図５Ｇに主として示されている第１のクリップ実装形態を参照すると、グリップ要素端部２０４はローラ２０６を採用しているが、本発明はこれに限定されない。各ローラ２０６は、クリップ２００と歯ブラシとの間に回転する機械式係合をもたらす対応する旋回軸を中心として旋回するように構成される。歯ブラシのヘッド部は、クリップ２００の戻り狭窄力により歯ブラシがグリップに嵌まるまで、ローラ２０６の上（の間）を摺動することができる。一部の実施形態では、ローラ２０６が歯ブラシのネック部を係合すると、歯ブラシはグリップに嵌まる。
【００５１】
明確化のために付言すると、本発明は、両方のグリップ部材２０２に弾力性があることには限定されない。単一の弾力性グリップ部材２０２が硬質グリップ部材（２０２）に突き当たることも有効であろう。例えば、図７Ｂに示す実装形態は、硬質のバックカバー１１４に当たる弾力性のあるグリップ要素２０２を採用している。
【００５２】
好ましくは、ローラ２０６は、歯ブラシのヘッドおよび／またはネックのための溝状のガイド２０８をその間に形成する。例えば、ローラ２０６は、その間に溝状のガイド２０８を画定する円周切り欠き２１２を含む。一方のローラ２０６のみが硬質の対向部材２０２に接して使用される場合、その単一のローラの単一の円周切り欠き２１２が、溝状ガイド２０８をもたらすことができる。円周切り欠き２１２は（単独で、または組み合わさって）、各ローラ２０６が鞍状の領域を使用して歯ブラシヘッドを係合させるように、グリップ部材２０２の間の溝状ガイド２０８内に入る歯ブラシヘッドに対して歯ブラシホルダ１００の底部に凹状のくぼみを与える。
【００５３】
明確化のために付言すると、本発明は２つのローラ２０６の使用には限定されない。３つ以上のローラ２０６を採用（図示せず）することもでき、それらのローラ２０６は歯ブラシのネックを係合させる必要はない。他方のグリップ部材２０２に突き当たる単一のローラ２０６も有効であろう。例えば、ローラ２０６を採用すると、ゴム引きのヘッド側部を備える歯ブラシの使用が可能になる。
【００５４】
図６Ａ、図６Ｂ、図６Ｃ、図６Ｄ、図６Ｅおよび図６Ｇに、本提案の解決策の第１の実施形態の歯ブラシグリップ要素２００の第２の実装形態を示す。説明を簡潔にするために、第１の歯ブラシグリップ要素２００実装形態と類似した構造および要素の説明は繰り返さない。第２のクリップ２００実装形態は、ローラ（２０６）自体を使用せず、代わりにグリップ部材端部２０４が、間に溝状ガイド２０８を画定する対向切り欠き２１２を含む。切り欠き２１２は、摺動機械式係合により、少なくとも歯ブラシヘッドを係合するように構成される。切り欠き２１２は、互いから遠ざかるように広がり、入来する歯ブラシヘッドに対して凹状のくぼみを与え、各切り欠き２１２が鞍状領域を使用して歯ブラシヘッドを係合させるように、溝状ガイド２０８内に導く。ローラ２０６と同様に、同様の変形態様、切り欠き２１２の数およびグリップ部材２０２の材料弾力性の変形態様も採用可能である。
【００５５】
好ましくは、クリップ２００は、端部２０４  １５  から、歯ブラシのブリッスルの所望の向きにクリップ端部２０４から全般的に遠ざかる方向に延びる少なくとも１つのタブ２１０を含む。例えば図４Ａ、図４Ｂ、図４Ｃ、図４Ｄ、図４Ｅ、図５Ａ、図５Ｂ、図５Ｃ、図５Ｄ、図５Ｅ、図５Ｆ、図５Ｇ（および図６Ａ、図６Ｂ、図６Ｃ、図６Ｄ、図６Ｅ、図６Ｆ、図６Ｇ）に、歯ブラシホルダ１００の背面に向かって延びる一対のクリップタブ２１０を示す。ただし、本提案の解決策によると、ブリッスルが貯蔵器要素３１０の供給口３２２に向いた状態で歯ブラシを挿入するために、この一対のクリップタブ２１０は共有口３３２に向かって延びる。
【００５６】
クリップタブ２１０は、その間にスリット２１４を形成する。本提案の解決策によると、クリップタブ２１０は、歯ブラシヘッドがクリップローラ２０６の間に挿入されて歯ブラシを特定の向きに強制することができる一方、歯ブラシヘッドがクリップ２００に挿入されるのを防ぐように構成される。スリット２１４は、ブリッスルがタブ２１０の間を通過することができるようにする。
【００５７】
図４Ａ、図４Ｂ、図４Ｃ、図４Ｄ、図４Ｅ、図５Ａ、図５Ｂ、図５Ｃ、図５Ｄ、図５Ｅ、図５Ｆ、図５Ｇ（および図６Ａ、図６Ｂ、図６Ｃ、図６Ｄ、図６Ｅ、図６Ｆ、図６Ｇ）に、歯ブラシヘッドがクリップ２００に移動する方向に対して概ね垂直なクリップタブ２１０を示すが、本発明は歯ブラシの移動を阻止することには限定されない。代替として、クリップタブ２１０は、入来する歯ブラシヘッドに対して凸状の全表面を呈して歯ブラシヘッドを逸らすように構成することができる。また、クリップタブ２１０は、歯ブラシヘッドの移動方向を基準として離れる方向または斜めに（図１１Ａ、図１１Ｂ、図１１Ｅおよび図１１Ｆ）角度をなして同一平面上にあることができる。
【００５８】
少なくとも１つのクリップタブ２１０は、貯蔵器３００の供給口３２２からブリッスルを一定の距離に離隔するために使用されてもよい。本発明を限定することなく、クリップ２００またはクリップタブ２１０は、殺菌剤が供給されるようにする役割、または、供給口３２２を介した殺菌剤の放出を直接または間接的に引き起こす作動装置の役割を果たすことができる。例えば、クリップタブ２１０は、殺菌剤を放出させるために貯蔵器要素３００の一面に（機械的に）突き当たるように構成することができる。
【００５９】
図４Ａ、図４Ｂ、図４Ｃ、図４Ｄ、図４Ｅ、図５Ａ、図５Ｂ、図５Ｃ、図５Ｄ、図５Ｅ、図５Ｆ、図５Ｇ、図６Ａ、図６Ｂ、図６Ｃ、図６Ｄ、図６Ｅ、図６Ｆおよび図６Ｇに、クリップ２００とバックプレート１１４との間に配置された供給口３２２からブリッスルを離隔させるようにブリッスルの方向にバックプレート１１４に向かって逸れて延びるクリップ２００本体を示す。ただし、本発明は、タブ２１０先端によってブリッスルをバックプレート１１４から離隔することには限定されない。明確化のために付言すると、本発明は、歯ブラシホルダ１００内で歯ブラシを正しい向きに配置するためにクリップタブ２１０を使用することには限定されない。
【００６０】
図７Ａおよび図７Ｂに、本提案の解決策の別の実施形態による衛生的歯ブラシホルダ１００の別の実装形態を示す。図７Ａは、歯ブラシのブリッスルが側方に逸らされた状態で歯ブラシが嵌め込まれた、組み立て済み歯ブラシホルダ１００を示す。図７Ｂは、図７Ａに示す歯ブラシホルダ１００の分解図を示す。説明を簡潔にするために、上述の各実施形態と類似した構造および要素の説明は繰り返さない。
【００６１】
図７Ｂを参照すると、ローラ２０６の１つがバックプレート１１４上に設けられ、壁２７２がバックカバー１１４を補強してバックカバー１１４のコンプライアンスを低減する役割を果たすのが注目される。対向ローラ２０６が、軸３３０を中心に旋回する弾力性部材２０２の上に設けられる。弾力性部材２０２とバックカバー１１４とを位置合わせするために、タブ３３２がバックカバー１１４の上部の溝３３４の下に嵌まるように構成される。
【００６２】
バックカバー１１４は、（図７Ｂに示す意味で）完全に卵形ではなく、左下に切り欠き３０２を有するのが注目される。切り欠き３０２は、殺菌剤を保持する貯蔵器３１０を提供する交換可能殺菌カートリッジ３００のガイドとなるように構成される。カートリッジ３００には供給トリガ３２０が設けられている。例えば、一実装形態により、図７Ｂに、供給口３２２を有する供給トリガ３２０噴霧ボタンを示す。貯蔵器３１０内の殺菌剤は、加圧状態とすることができるが、本発明はこれには限定されない。カートリッジ３００と歯ブラシとが並んで歯ブラシホルダ１００内に保持されているときのみ、供給口３２２が、歯ブラシのブリッスルに向かって、歯ブラシホルダ筐体１１０を基準にして側方に向けられる（図７Ａ参照）。本発明を限定することなく、カートリッジ３００には、バックカバー１１４上のガイドおよび配向溝３０６との摺動可能機械式係合のために構成された追加のタブ３０４を設けることができる。例えば、壁取付け実装形態の場合、フロントカバー１１２は、バックカバー１１４の背面の溝３３８内で旋回するように構成されたヒンジピン３３６を含む。壁取付け実装形態の場合は不要であるが、フロントカバー１１２は、装置のユーザにより押し下げられることができる供給作動領域を示すくぼみ３４０を含んでもよい。旅行用実装形態の場合、くぼみ３４０は、殺菌剤を供給させるためのボタン３４２をその内部に含むことができ、カバー１１２が、実際のボタン３４２が誤って殺菌剤の放出を引き起こすことがないように保護する役割を果たす。以下で詳述するように、ボタン３４２の下側は、ポンプ３１２のトリガボタン３２０を押すように構成された少なくとも１つの作動フィンガ３４４を有することができる。
【００６３】
本提案の解決策によると、殺菌歯ブラシホルダ１００は、殺菌剤の制御された供給を引き起こすための放出手段を含む。一部の実施形態では、放出手段は、例えば貯蔵器が一定量の殺菌剤を供給するようにさせるボタンを含む、放出トリガを含む。
【００６４】
図７Ａおよび図７Ｂに示す壁取付け実装形態によると、フロントカバー１１２（または実際のボタン３４２）は、押し下げられると、供給口３２２を介して貯蔵器３１０から殺菌剤を供給するために放出トリガ３２０に突き当たる。例えば、ローラ２０６の間の弾力性部材２０２によって歯ブラシが固定された状態で、殺菌剤が流体である場合は、噴霧ボタン３２０によって殺菌剤を、ノズルとして構成された供給口３２２から歯ブラシのブリッスルに対して噴出させることができる。噴霧ボタン３２０は、ポンプ噴霧ディスペンサの押しボタンとすることもできる。別の例として、歯ブラシを殺菌歯ブラシホルダ１００に挿入する前に、供給トリガ３２０によって、ゲルまたはペーストの形態の殺菌剤を供給口３２２から出させて小球を形成することができ、小球はローラ２０６に向かって一定の距離だけ延びる。歯ブラシヘッドを、ローラ２０６を通して歯ブラシホルダ１００に挿入すると、ブリッスルが殺菌剤の小球のメニスカスを破る。ブリッスルは、殺菌剤を例えばブリッスル管作用により引き上げる。
【００６５】
図７Ｃに、本提案の解決策の別の実装形態による、殺菌剤ディスペンサカートリッジ３００を装填するために開いた殺菌歯ブラシホルダの斜視図を示す。図７Ｄに、殺菌剤ディスペンサカートリッジ殺菌剤ディスペンサカートリッジを有する殺菌歯ブラシホルダの分解図を（歯ブラシとの位置関係で）示す。クリップ２００が取り外され、摺動されてタブ３０４と溝３０６とが機械式係合する前のディスペンサカートリッジ３００が示されている。図の実装形態によると、フロントカバー１１２は剛体であり、ヒンジピン３３６によりバックカバー１１４のヒンジくぼみ３３８内にヒンジ留めされており、フロントカバーは、噴霧ボタン３２０に突き当たって貯蔵器３１０から殺菌剤の制御された供給を引き起こすように構成された作動フィンガ３４４を含むが、本発明はこれには限定されない。
【００６６】
図７Ｅに、図７Ｃに示すようなフロントカバーがないが、クリップ２００と歯ブラシとがその中に保持された、殺菌歯ブラシホルダの斜視図を示す。歯ブラシがクリップ２００内に保持されると歯ブラシのブリッスルに向けて、噴霧ノズル３２２が歯ブラシホルダ１００の向きを基準にして側方に向けられるのが注目される。図７Ｆおよび図７Ｇは、図７Ｅに示すフロントカバーのない殺菌歯ブラシホルダの構成の上面図および右側面図をそれぞれ示す。図７Ｈは、フロントカバー１１２が取り付けられた図７Ｃ、図７Ｄ、図７Ｅ、図７Ｆおよび図７Ｇに示す組み立て済み殺菌歯ブラシホルダの上面図を示す。
【００６７】
図７Ｉおよび図７Ｊに、図７Ｉの通常（非作動、静止）位置と図７Ｊの作動位置との間の動作時の殺菌歯ブラシホルダの右側面図を示す。作動位置では、図７Ｃに示す作動フィンガ３４４が噴霧ボタン３２０に突き当たって、制御された量の衛生剤をノズル３２２を介して歯ブラシヘッドに向けて供給させる。
【００６８】
他の実装形態（図示せず）では、放出手段は、貯蔵器が一定量の殺菌剤を供給するようにさせるために筐体を変形させることを含む。さらに他の実装形態（図示せず）では、放出手段は、一定量の殺菌剤を供給するように貯蔵器を変形させることを含む。さらに他の実装形態（図示せず）では、放出手段は、貯蔵器が一定量の殺菌剤を供給するようにさせるためにクランプを変形させることを含む。さらに他の実装形態では、放出手段は、一定量の殺菌剤を供給するように貯蔵器を変形させるように構成されたラチェット手段を含む。一部の実装形態では、ラチェット手段は、２０歯ブラシヘッドを歯ブラシホルダに挿入することによって作動するラチェットを含む。他の実装形態では、ラチェット手段は、歯ブラシヘッドを歯ブラシホルダに挿入することによって作動するラチェット歯車を有するローラを少なくとも含む。
【００６９】
フロントカバー
フロントカバー１１２の説明に戻ると、フロントカバーは必ずしも単体ではない。図８Ａ、図８Ｂ、図８Ｃおよび図８Ｄに、概ね透明であるが必ずしも透明ではなく、上述のようにバックプレート１１４を係合するように構成された第１のフロントカバー要素１２０を示す。図７Ａに示す実装形態では、フロントカバー１１２はシースルーであり、透明とすることも可能である。好ましくは、図１３Ｂ、図１３Ｄ、図１３Ｅおよび図１３Ｆに示すように、カバー１１２は、本明細書で上述したようにスナップ係合２７０によりバックプレート１１４を係合する。
【００７０】
好ましくは、フロントカバー１１２は、図１Ｂ、５、図１Ｃ、図１Ｄ、図８Ｂ、図８Ｃおよび図８Ｄに最もよく示されているように張り出し側部１０３を含み、歯ブラシヘッドを歯ブラシホルダ１００に挿入するためのガイドをさらに提供するが、張り出し側部１０３は必須ではない。
【００７１】
フロントカバー１１２は、歯ブラシホルダ筐体１１０が見える窓１３０を備えることができる。図９Ａ、図９Ｂ、図９Ｃ、図９Ｄおよび図９Ｅに、第２のフロントカバー要素１３０である窓を示す。例えば、フロントカバー窓１３０は、涙滴形状とすることができ、第１のフロントカバー要素１２０へのスナップ式嵌め合いに適合させた形状および構成の特徴を有することができる。
【００７２】
変形態様
提案の解決策の第１の実施形態の第４の実装形態により、図１０Ａ、図１０Ｂ、図１０Ｃ、図１０Ｄ、図１０Ｅ、図１０Ｆおよび図１０Ｇに、再利用可能衛生バックプレート１１４を示す。図３Ａ、図３Ｂ、図３Ｃおよび図３Ｄに示すバックプレート１１４と共通する特徴については説明を繰り返さない。
【００７３】
バックプレート１１４は、断続的な周壁２７２を備えた全体として卵形の形状を有する。材料の選定により、例えばポリマー、および／または、材料厚自由伸長のスナップタブ２７０を、フロントカバー１１２を係合させる際に周壁２７２よりも屈曲するように構成することができる。周壁２７２は、フロントカバー１１２を係合させる際に、強化された剛性をもたせるように構成することができ、スナップタブ２７０はフロントカバー１１２をバックプレート１１４に向かって引いて閉じる役割を果たす。
【００７４】
図１０Ｂに示すように、バックプレート１１４の背面に、両面テープまたは接着剤を付けるための長円形領域１１８が設けられるとともに、図１０Ａ、図１０Ｂ、図１０Ｆおよび図１０Ｇに最もよく示されているように、浴室の壁との確実な結合のための留め具または吸盤（図示せず）を受け入れて係合するための補強開口部が設けられる。
【００７５】
第４の実装形態によると、支持タブ２７０が補強される。図１０Ａ、図１０Ｆおよび図１０Ｇにおいて最もよく見えるように、下部支持タブ２６０は周壁２７２と一体化されている。図１０Ａ、図１０Ｄおよび図１０Ｇにおいて最もよく示されているように、上部支持タブ２８０は突起によって補強されている。上部カバー１１２がバックプレート１１４にヒンジ留めされ（３３６／３３８、図示せず）、支持タブ２７０は、上部カバー１１２を非作動（図７Ｉ）位置に保持するとともに、上部カバー１１２をタブ２７０に沿って作動位置（図７Ｊ）に向かって摺動係合させるように構成することができる。
【００７６】
図１１Ａ、１１Ｂ、１１Ｃ、１１Ｄ、１１Ｅ、１１Ｆおよび１１Ｇに、再利用可能衛生歯ブラシグリップ要素２００またはクランプ２００を示す。図５Ａ、図５Ｂ、図５Ｃ、図５Ｄ、図５Ｅおよび図５Ｇに示すクランプ２００と共通の特徴については説明を繰り返さない。
【００７７】
クランプ２００は、図１１Ｂ、図１１Ｅおよび図１１Ｆに最もよく示されている対応する突起によって補強された一対の歯ブラシグリップ要素タブ２１０を採用する。なお、クランプタブ２１０は、図１１Ａ、図１１Ｂ、図１１Ｅおよび図１１Ｆに示すように同一平面にはない。
【００７８】
図１２Ａ、図１２Ｂ、図１２Ｃ、図１２Ｄおよび図１２Ｅに、組み立て済みの再利用可能衛生歯ブラシグリップ要素２００とバックプレート１１４との組合せを示す。図４Ａ、図４Ｂ、図４Ｃ、図４Ｄおよび図４Ｅに示す組合せと共通する特徴については説明を繰り返さない。
【００７９】
図１３Ａ、図１３Ｂ、図１３Ｃ、図１３Ｄ、図１３Ｅおよび図１３Ｆに、再利用可能衛生フロントカバー１１２／１２０を示す。図８Ａ、図８Ｂ、図８Ｃおよび図８Ｄに示すフロントカバー１２０と共通する特徴については説明を繰り返さない。
【００８０】
フロントカバー１２０には張り出し側壁がないが（図１３Ａ、図１３Ｂおよび図１３Ｅ）、窓（１３０）を形成する２つの側面の間に補強ブリッジ１４０が設けられている。図１３Ａ、図１３Ｂ、図１３Ｃおよび図１３Ｆに最もよく示されているブリッジ１４０は、本明細書で後述するように、窓１３０の固定に関与するように構成することもできる。図１３Ｂおよび図１３Ｅに、ハウジング１１０の下部開口部の周囲に強化された剛性を与える複数の突起が見える。バックプレート１１４のスナップ式嵌めタブ２７０を機械式に係合するためのスナップ式嵌め開口部１７０が、図１３Ｂ、図１３Ｄ、図１３Ｅおよび図１３Ｆに最もよく示されている。スナップ式嵌めタブ２７０は、図１３Ｂ、図１３Ｅおよび図１３Ｆに最もよく示されている溝１７２によって導かれる。溝１７２は、フロントカバー１１２上で、フロントカバー１１２とバックカバー１１４との間の制御された摺動可能係合をもたらすことができる。
【００８１】
図１４Ａ、図１４Ｂ、図１４Ｃ、図１４Ｄ、図１４Ｅおよび図１４Ｆに、再利用可能衛生フロントカバー窓１３０を示す。図９Ａ、図９Ｂ、図９Ｃ、図９Ｄおよび図９Ｅに示すフロントカバー窓１３０と共通する特徴については説明を繰り返さない。
【００８２】
窓１３０は、ブリッジ１４０を係合するための下部フック１３２と、フロントカバー１２０の上部への係合のための上部スナップ式嵌め隆起部１３４とを採用する。フック１３２と１５隆起部１３４の両方が、窓１３０を、フロントカバー１２０とのスナップ式係合状態に、取り外し可能に維持する役割を果たす。
【００８３】
別の変形態様によると、歯ブラシホルダはあらゆる種類の歯ブラシヘッドのためのローラを備えたクリップとすることができるが、歯ブラシヘッドが所定の形状を有する場合には、歯ブラシホルダはその歯ブラシヘッドに適合するように特化された形状とすることができる。本発明は、歯ブラシホルダのための特定の取り付け具には限定されず、例えば磁石、特別な形状のスロットなども有効であろう。
【００８４】
図１５Ａおよび図１５Ｂの実施形態では、殺菌剤ディスペンサ３００が、図１５Ａに示すように歯ブラシのブリッスルに殺菌剤を噴霧可能なようにホルダ１００の外側面に接続された取り付け台４００に保持された、小型噴霧ユニットである歯ブラシホルダ１００の例が示されている。ブリッスルが湿っている場合、殺菌剤はより容易にブリッスルに引き上げられる。したがって、ユーザは歯磨き後に歯ブラシをすすいでから噴霧装置を使用してブリッスルに殺菌剤を塗布し、次に、歯ブラシヘッドを筐体１１０に挿入することができる。図の実施形態では、筐体の側部は、ヘッドを導く間にヘッドを筐体内に保持する弾力性クリップ部材２００である。ブリッスルは、大きなねじり力がなければ筐体の内部には接触しない。図１５Ａに示されているクリップ部材には、ローラがなく、ねじりを防ぐようにヘッドを導くための形状の輪郭もないが、必要であればそのような要素を設けることができることはわかるであろう。
【００８５】
噴霧装置は、空になると交換または補給することができる。上述のように、アプリケータ装置に入った少量の流体は一人用で約１ヶ月間持つことができる。このようなホルダ１００は、要望に応じて、壁面取り付け、または旅行鞄内、洗面台上、または引出し内へでの収納のために使用することができる。
【００８６】
噴霧ユニットを例示したが、ディスペンサ３００内の小型ポンプが、ブリッスルへの送出のために小型チューブまたはノズルなどの送出部材に液体を供給することも可能である。前述のように、湿ったブリッスルは殺菌流体を容易に引き上げ、殺菌剤をブリッスルに分散させる。ユーザが歯磨きの前に、ホルダから歯ブラシを取り外し、ブリッスルを湿らせ、次に殺菌または殺菌剤を施すことができることはわかるであろう。これは保管の前に殺菌剤を塗布する代わりに、または以前の塗布に加えて行うことができる。
【００８７】
ディスペンサ３００は、一人による１ヶ月の通常使用に適した小容量の貯蔵器を有することができる。ほとんどの歯科医は、一日２回の歯磨きを推奨しているため、これは少なくとも約６２回分または約３１日分の塗布に相当する。人によっては一日３回歯磨きをするため、約１００回分入る貯蔵器も企図されてもよい。容量を約１００回分に制限することによって、貯蔵器はより小型化される。場合によっては、貯蔵器をもう少し大型に、例えば約２００回分までとすることが望ましい場合もある。好ましくは、ポンプは１回のポンプ動作で、１回の塗布でブリッスルを処理するのに有効なように十分な殺菌剤を供給するように構成される。
【００８８】
図１５Ａおよび図１５Ｂの実施形態ではアプリケータ装置３００はホルダ１００に接続されているが、アプリケータ３００はホルダ１００とは別個の装置とすることができ、この２つの構成要素をセットまたはキットとして提供することができることはわかるであろう。
【００８９】
図１６から図２０を参照すると、別の好ましい実施形態による歯ブラシホルダ１００が示されている。ホルダ１００は、上述したのと同様に機能するフロントカバー１１２とバックカバー１１４とからなる筐体を有する。ホルダ１００は、上述したのと同様に機能する、歯ブラシ１０のヘッド１２を受け入れるための保持機構２００を有する。ホルダ１００は、スナップ式係合などにより、バックカバー１１４の一部に接続可能な、貯蔵器３１０を備えたディスペンサ３００を含む。ディスペンサ３００は、くぼみ３４０内に含まれる押しボタン３４２と協働するポンプ３１２を含む。押しボタン３４２付きディスペンサ３００は、図７Ｃに関連して上述したのと同様に機能する。
【手続補正２】
【補正対象書類名】特許請求の範囲
【補正対象項目名】全文
【補正方法】変更
【補正の内容】
【特許請求の範囲】
【請求項１】
ブリッスル（１４）付きのヘッド（１２）とハンドル（１６）とを有する個別の歯ブラシ（１０）を保持するための歯ブラシホルダ（１００）であって、
異物との接触から前記ブリッスル（１４）を保護するための歯ブラシヘッド筐体（１１０）であって、前記歯ブラシ（１０）の前記ハンドル（１６）の一部を前記筐体（１１０）の外部に露出させた状態で前記歯ブラシ（１０）の前記ヘッド（１２）を受け入れる寸法とされ、前記筐体（１１０）の底部に前記ヘッド（１２）を通すための開口部（１０２）を備えた歯ブラシヘッド筐体（１１０）と、
前記ヘッド（１２）を確実に受け入れるとともに、前記ヘッド（１２）の解放を可能にするために前記筐体内に収容される保持機構（２００）と、
前記筐体（１１０）の内部で前記ヘッド（１２）の前記ブリッスル（１４）に殺菌噴霧を供給するために前記ホルダに接続されるように構成され、ポンプ（３１２）と前記ポンプ（３１２）を作動させるための前記筐体（１１０）上の押しボタン（３４２）とを含むディスペンサ（３００）とを含む、ホルダ（１００）。
【請求項２】
前記押しボタン（３４２）は、前記押しボタン（３４２）の不測の作動を防止するために前記筐体のくぼみ（３４０）内に含まれる、請求項１に記載のホルダ。
【請求項３】
前記押しボタン（３４２）の下側が、前記ポンプ（３１２）のトリガボタン（３２０）を押すように構成された作動フィンガ（３４４）を有する、請求項２に記載のホルダ。
【請求項４】
前記ディスペンサ（３００）は、前記ブリッスル（１４）に前記殺菌噴霧を噴霧するためのノズルとして構成された供給口（３２２）を含む、請求項３に記載のホルダ。
【請求項５】
前記ディスペンサ（３００）は前記筐体（１１０）の内部に取り外し可能に取り付けられる、請求項１に記載のホルダ。
【請求項６】
前記ディスペンサ（３００）は、前記筐体（１１０）のバックカバー（１１４）の内側部分へのスナップ式係合により取り外し可能に取り付けられる、請求項５に記載のホルダ。
【請求項７】
前記ディスペンサ（３００）は、前記ブリッスル（１４）を消毒するために少なくとも約６２回分の塗布に十分な量の前記殺菌噴霧を保持する貯蔵器（３１０）を含む、請求項１に記載のホルダ。
【国際調査報告】
2018516607.tif 000092
2018516607.tif 000093
2018516607.tif 000094
2018516607.tif 000095